(57)【要約】【課題】安定した放電を維持することができる放電灯駆動装置を提供する。【解決手段】本発明の放電灯駆動装置の一つの態様は、電極を有する放電灯に駆動電力を供給する放電灯駆動部と、放電灯に関する情報を記憶する記憶部と、放電灯駆動部を制御する制御部と、を備え、制御部は、放電灯に第１駆動電力を供給する定常点灯駆動と、放電灯に第１駆動電力よりも大きい第２駆動電力を供給する高電力駆動と、を実行可能であり、制御部は、所定の設定タイミングにおいて、記憶部に記憶された高電力駆動に関する第１情報に基づいて高電力駆動の第１実行情報を設定し、第１実行情報に従って放電灯駆動部を制御することを特徴とする。【選択図】図７
2015187966.tif 000002
【特許請求の範囲】
【請求項１】
電極を有する放電灯に駆動電力を供給する放電灯駆動部と、
前記放電灯に関する情報を記憶する記憶部と、
前記放電灯駆動部を制御する制御部と、
を備え、
前記制御部は、前記放電灯に第１駆動電力を供給する定常点灯駆動と、前記放電灯に前記第１駆動電力よりも大きい第２駆動電力を供給する高電力駆動と、を実行可能であり、
前記制御部は、所定の設定タイミングにおいて、前記記憶部に記憶された前記高電力駆動に関する第１情報に基づいて前記高電力駆動の第１実行情報を設定し、前記第１実行情報に従って前記放電灯駆動部を制御することを特徴とする放電灯駆動装置。
【請求項２】
前記第１情報は、前記高電力駆動の終了後から次の前記設定タイミングまでの間における前記放電灯の点灯時間を含む、請求項１に記載の放電灯駆動装置。
【請求項３】
前記第１情報は、前記高電力駆動時において検出された前記放電灯の電極間電圧を含む、請求項１または２に記載の放電灯駆動装置。
【請求項４】
前記第１情報は、前記高電力駆動時の前記放電灯に供給される前記第２駆動電力を含む、請求項１から３のいずれか一項に記載の放電灯駆動装置。
【請求項５】
前記第１情報は、前記高電力駆動の駆動電流の波形を含む、請求項１から４のいずれか一項に記載の放電灯駆動装置。
【請求項６】
前記制御部は、前記設定タイミングにおける前記放電灯の点灯状態に関する第２情報に基づいて、前記第１実行情報を設定する、請求項１から５のいずれか一項に記載の放電灯駆動装置。
【請求項７】
前記第２情報は、前記設定タイミングにおいて検出された前記放電灯の電極間電圧を含む、請求項６に記載の放電灯駆動装置。
【請求項８】
前記放電灯が点灯してから、前記定常点灯駆動が行われる定常点灯期間に移行するまでの立上期間は、前記駆動電力が増加する第１立上期間と、前記駆動電力が一定の値に維持される第２立上期間と、を有し、
前記設定タイミングは、前記第１立上期間の任意の時点に設定され、
前記設定タイミングにおいて検出された前記放電灯の電極間電圧から、前記定常点灯期間における電極間電圧を推定する、請求項７に記載の放電灯駆動装置。
【請求項９】
前記第２情報は、前記設定タイミングにおける前記放電灯の累積点灯時間を含む、請求項６から８に記載の放電灯駆動装置。
【請求項１０】
前記制御部は、前記高電力駆動の終了後から次の前記設定タイミングまでの間に実行される前記放電灯の駆動に関する第３情報に基づいて、前記第１実行情報を設定する、請求項１から９のいずれか一項に記載の放電灯駆動装置。
【請求項１１】
前記第３情報は、前記放電灯に供給される前記駆動電力を含む、請求項１０に記載の放電灯駆動装置。
【請求項１２】
前記第３情報は、前回の放電灯点灯時の前記放電灯の電極間電圧を含む、請求項１０または１１に記載の放電灯駆動装置。
【請求項１３】
前記放電灯が点灯してから、前記定常点灯駆動が行われる定常点灯期間に移行するまでの立上期間は、前記駆動電力が増加する第１立上期間と、前記駆動電力が一定の値に維持される第２立上期間と、を有し、
前記設定タイミングは、前記第１立上期間の任意の時点に設定され、
前回の放電灯点灯時の前記放電灯の電極間電圧から、前記定常点灯期間における電極間電圧を推定する、請求項１２に記載の放電灯駆動装置。
【請求項１４】
前記第１実行情報は、前記高電力駆動の実行が抑制される抑制時間を含む、請求項１から１３のいずれか一項に記載の放電灯駆動装置。
【請求項１５】
前記第１実行情報は、前記高電力駆動の実行の有無を含む、請求項１から１４のいずれか一項に記載の放電灯駆動装置。
【請求項１６】
前記第１実行情報は、前記高電力駆動の駆動パラメーターを含む、請求項１から１５のいずれか一項に記載の放電灯駆動装置。
【請求項１７】
前記駆動パラメーターは、前記高電力駆動の前記第２駆動電力を含む、請求項１６に記載の放電灯駆動装置。
【請求項１８】
前記駆動パラメーターは、前記高電力駆動において前記放電灯に供給される駆動電流波形を含む、請求項１６または１７に記載の放電灯駆動装置。
【請求項１９】
前記駆動パラメーターは、前記高電力駆動の実行時間を含む、請求項１６から１８のいずれか一項に記載の放電灯駆動装置。
【請求項２０】
前記制御部は、前記放電灯が点灯してから、前記定常点灯駆動が行われる定常点灯期間に移行するまでの立上期間において、前記高電力駆動を実行するように前記放電灯駆動部を制御する、請求項１から１９のいずれか一項に記載の放電灯駆動装置。
【請求項２１】
前記立上期間は、前記駆動電力が増加する第１立上期間と、前記駆動電力が一定の値に維持される第２立上期間と、を有し、
前記第１立上期間において、前記駆動電力は、前記第２駆動電力に向けて増加し、
前記第２立上期間において、前記駆動電力は、前記第２駆動電力の値に維持され、
前記制御部は、前記第２立上期間において、前記高電力駆動を実行するように前記放電灯駆動部を制御する、請求項２０に記載の放電灯駆動装置。
【請求項２２】
前記制御部は、前記定常点灯駆動が行われる定常点灯期間において、前記高電力駆動を実行するように前記放電灯駆動部を制御する、請求項１から１９のいずれか一項に記載の放電灯駆動装置。
【請求項２３】
前記第２駆動電力は、前記放電灯の電極間電圧が大きくなるに従って大きく設定される、請求項１から２２のいずれか一項に記載の放電灯駆動装置。
【請求項２４】
前記制御部は、前記電極の先端に形成される突起の成長を促進する突起形成駆動を実行可能であり、
前記高電力駆動を実行した後で、かつ、前記定常点灯駆動を実行する前に、前記突起形成駆動を実行する、請求項１から２３のいずれか一項に記載の放電灯駆動装置。
【請求項２５】
前記突起形成駆動の駆動電流は、１００Ｈｚ以上、１０００Ｈｚ以下の交流電流を含む、請求項２４に記載の放電灯駆動装置。
【請求項２６】
前記高電力駆動の駆動電流は、１００Ｈｚ以上、１０００Ｈｚ以下の交流電流を含み、
前記突起形成駆動の実行時間に対して前記交流電流が供給される時間の割合は、前記高電力駆動の実行時間に対して前記交流電流が供給される時間の割合よりも大きい、請求項２５に記載の放電灯駆動装置。
【請求項２７】
前記定常点灯駆動の駆動電流は、１００Ｈｚ以上、１０００Ｈｚ以下の交流電流を含み、
前記突起形成駆動の実行時間に対して前記交流電流が供給される時間の割合は、前記定常点灯駆動の実行時間に対して前記交流電流が供給される時間の割合よりも大きい、請求項２６に記載の放電灯駆動装置。
【請求項２８】
前記制御部は、前記突起形成駆動において、前記第１駆動電力よりも大きく、かつ、前記第２駆動電力よりも小さい第３駆動電力が前記放電灯に供給されるように前記放電灯駆動部を制御する、請求項２４から２７のいずれか一項に記載の放電灯駆動装置。
【請求項２９】
前記制御部は、前記突起形成駆動の少なくとも一部の期間において前記放電灯に供給される駆動電力が、前記第１駆動電力から前記第２駆動電力に向かって連続的に変化するように前記放電灯駆動部を制御する、請求項２４から２７のいずれか一項に記載の放電灯駆動装置。
【請求項３０】
前記制御部は、前記第１情報に基づいて、前記突起形成駆動の第２実行情報を設定する、請求項２４から２９のいずれか一項に記載の放電灯駆動装置。
【請求項３１】
前記制御部は、前記放電灯の劣化情報に基づいて、前記突起形成駆動の第２実行情報を設定する、請求項２４から３０のいずれか一項に記載の放電灯駆動装置。
【請求項３２】
前記劣化情報は、前記放電灯の電極間電圧である、請求項３１に記載の放電灯駆動装置。
【請求項３３】
前記第２実行情報は、前記突起形成駆動の実行時間を含む、請求項３０から３２のいずれか一項に記載の放電灯駆動装置。
【請求項３４】
前記突起形成駆動の駆動電流は、１００Ｈｚ以上、１０００Ｈｚ以下の交流電流を含み、
前記第２実行情報は、前記突起形成駆動の実行時間に対して前記交流電流が供給される時間の割合を含む、請求項３０から３３のいずれか一項に記載の放電灯駆動装置。
【請求項３５】
光を射出する放電灯と、
請求項１から３４のいずれか一項に記載の放電灯駆動装置と、
を備えることを特徴とする光源装置。
【請求項３６】
請求項３５に記載の光源装置と、
前記光源装置から射出される光を映像信号に応じて変調する光変調素子と、
前記光変調素子により変調された光を投射する投射光学系と、
を備えることを特徴とするプロジェクター。
【請求項３７】
電極を有する放電灯に第１駆動電力を供給する定常点灯駆動と、前記放電灯に前記第１駆動電力よりも大きい第２駆動電力を供給する高電力駆動と、を含む放電灯駆動方法であって、
所定の設定タイミングにおいて、前記高電力駆動に関する第１情報に基づいて前記高電力駆動の第１実行情報を設定することを特徴とする放電灯駆動方法。
【請求項３８】
前記電極の先端に形成される突起の成長を促進する突起形成駆動を含み、
前記高電力駆動を実行した後で、かつ、前記定常点灯駆動を実行する前に、前記突起形成駆動を実行する、請求項３７に記載の放電灯駆動方法。
【発明の詳細な説明】
【技術分野】
【０００１】
本発明は、放電灯駆動装置、光源装置、プロジェクターおよび放電灯駆動方法に関する。
【背景技術】
【０００２】
近年、プロジェクターには省エネルギー化が求められている。そのため、ランプへの駆動電力を通常よりも低下させる低電力モード、映像信号に同期して駆動電力を変化させる調光モード、外部から映像信号が入力されていないときに駆動電力を低下させる待機モードなど、各種の点灯モードを搭載したプロジェクターが提供されている。例えば低電力モードでは、ランプに供給される駆動電力が低いため、電極への負荷が小さくなり、ランプの寿命が長くなる。
【０００３】
しかしながら、駆動電力が定格電力よりも小さい場合、電極先端の突起を充分に溶融させることができず、点灯を長時間続けると、突起が損耗、縮小する。突起の縮小は電極間距離が広がることとなり、照度の低下を引き起こす。つまり、電極先端の突起の形状を維持できない場合、低電力モードの利点を生かせず、ランプの寿命が短くなるという問題が生じる。そこで、この問題を解決するために、ランプ点灯開始後の所定の期間において、電極の突起の溶融を促進するリフレッシュ点灯モードでランプを駆動する放電灯点灯装置、およびプロジェクターが提案されている（下記の特許文献１参照）。
【先行技術文献】
【特許文献】
【０００４】
【特許文献１】特開２００８−２７００５８号公報
【発明の概要】
【発明が解決しようとする課題】
【０００５】
特許文献１のプロジェクターの場合、リフレッシュ点灯モードでは定格電力値を超えるランプ電力が供給される。この場合、通常点灯時に形成された突起が溶融され過ぎ、突起の形状が維持できないことが考えられる。その結果、ランプは、安定した放電を維持できず、フリッカーが発生する。また、発光管への負荷が大きく、石英ガラスの結晶化現象、いわゆる失透などの不具合が生じる虞がある。
【０００６】
本発明の一つの態様は、上記問題点に鑑みて成されたものであって、安定した放電を維持することができる放電灯駆動装置、光源装置、プロジェクターおよび放電灯駆動方法を提供することを目的の一つとする。
【課題を解決するための手段】
【０００７】
本発明の放電灯駆動装置の一つの態様は、電極を有する放電灯に駆動電力を供給する放電灯駆動部と、前記放電灯に関する情報を記憶する記憶部と、前記放電灯駆動部を制御する制御部と、を備え、前記制御部は、前記放電灯に第１駆動電力を供給する定常点灯駆動と、前記放電灯に前記第１駆動電力よりも大きい第２駆動電力を供給する高電力駆動と、を実行可能であり、前記制御部は、所定の設定タイミングにおいて、前記記憶部に記憶された前記高電力駆動に関する第１情報に基づいて前記高電力駆動の第１実行情報を設定し、前記第１実行情報に従って前記放電灯駆動部を制御することを特徴とする。
【０００８】
本発明の放電灯駆動装置の一つの態様によれば、記憶部に記憶された高電力駆動に関する第１情報に基づいて、高電力駆動の第１実行情報が設定される。そのため、電極先端の突起の状態に応じて、高電力駆動時において突起に加えられる熱負荷の大きさを調整できる。したがって、本発明の放電灯駆動装置の一つの態様によれば、突起が溶融され過ぎることを抑制でき、放電灯の放電を安定して維持することができる。
【０００９】
前記第１情報は、前記高電力駆動の終了後から次の前記設定タイミングまでの間における前記放電灯の点灯時間を含む構成としてもよい。
この構成によれば、電極先端の突起の成長度合いに応じて高電力駆動の第１実行情報を設定できる。
【００１０】
前記第１情報は、前記高電力駆動時において検出された前記放電灯の電極間電圧を含む構成としてもよい。
この構成によれば、放電灯の劣化の度合いに応じて高電力駆動の第１実行情報を設定できる。
【００１１】
前記第１情報は、前記高電力駆動時の前記放電灯に供給される前記第２駆動電力を含む構成としてもよい。
この構成によれば、高電力駆動時における電極先端の突起の溶融度合いに応じて、その後の高電力駆動の第１実行情報を設定できる。
【００１２】
前記第１情報は、前記高電力駆動の駆動電流の波形を含む構成としてもよい。
この構成によれば、高電力駆動時における電極先端の突起の溶融度合いに応じて、その後の高電力駆動の第１実行情報を設定できる。
【００１３】
前記制御部は、前記設定タイミングにおける前記放電灯の点灯状態に関する第２情報に基づいて、前記第１実行情報を設定する構成としてもよい。
この構成によれば、高電力駆動に関する第１情報と、設定タイミングにおける放電灯の点灯状態に関する第２情報と、に基づいて高電力駆動の第１実行情報を設定できるため、より適切に高電力駆動を実行できる。
【００１４】
前記第２情報は、前記設定タイミングにおいて検出された前記放電灯の電極間電圧を含む構成としてもよい。
この構成によれば、放電灯の劣化の度合いに応じて高電力駆動の第１実行情報を設定できる。
【００１５】
前記放電灯が点灯してから、前記定常点灯駆動が行われる定常点灯期間に移行するまでの立上期間は、前記駆動電力が増加する第１立上期間と、前記駆動電力が一定の値に維持される第２立上期間と、を有し、前記設定タイミングは、前記第１立上期間の任意の時点に設定され、前記設定タイミングにおいて検出された前記放電灯の電極間電圧から、前記定常点灯期間における電極間電圧を推定する構成としてもよい。
この構成によれば、１回の点灯毎に第１立上期間での電極間電圧を参照するため、定常点灯駆動時の電極間電圧を精度良く推定でき、放電灯の劣化の程度を的確に検出することができる。
【００１６】
前記第２情報は、前記設定タイミングにおける前記放電灯の累積点灯時間を含む構成としてもよい。
この構成によれば、放電灯の劣化の度合いに応じて高電力駆動の第１実行情報を設定できる。
【００１７】
前記制御部は、前記高電力駆動の終了後から次の前記設定タイミングまでの間に実行される前記放電灯の駆動に関する第３情報に基づいて、前記第１実行情報を設定する構成としてもよい。
この構成によれば、電極先端の突起の成長度合いに応じて、より適切に高電力駆動の第１実行情報を設定できる。
【００１８】
前記第３情報は、前記放電灯に供給される前記駆動電力を含む構成としてもよい。
この構成によれば、電極先端の突起の成長度合いに応じて、より適切に高電力駆動の第１実行情報を設定できる。
【００１９】
前記第３情報は、前回の放電灯点灯時の前記放電灯の電極間電圧を含む構成としてもよい。
この構成によれば、放電灯の劣化の程度をより的確に検出できる。
【００２０】
前記放電灯が点灯してから、前記定常点灯駆動が行われる定常点灯期間に移行するまでの立上期間は、前記駆動電力が増加する第１立上期間と、前記駆動電力が一定の値に維持される第２立上期間と、を有し、前記設定タイミングは、前記第１立上期間の任意の時点に設定され、前回の放電灯点灯時の前記放電灯の電極間電圧から、前記定常点灯期間における電極間電圧を推定する構成としてもよい。
この構成によれば、前回の点灯時に記憶済みの電極間電圧を次回の点灯時に参照するため、定常点灯駆動時の電極間電圧を容易に推定でき、放電灯の劣化の程度を的確に検出することができる。
【００２１】
前記第１実行情報は、前記高電力駆動の実行が抑制される抑制時間を含む構成としてもよい。
この構成によれば、電極先端の突起の成長度合いに応じて、適切に高電力駆動の実行を抑制できる。
【００２２】
前記第１実行情報は、前記高電力駆動の実行の有無を含む構成としてもよい。
この構成によれば、高電力駆動の実行後、電極先端の突起が十分に成長するまで次の高電力駆動が実行されることを抑制できる。
【００２３】
前記第１実行情報は、前記高電力駆動の駆動パラメーターを含む構成としてもよい。
この構成によれば、高電力駆動の実行後、電極先端の突起の成長度合いに応じて、次の高電力駆動の駆動パラメーターを適切に設定できる。
【００２４】
前記駆動パラメーターは、前記高電力駆動の前記第２駆動電力を含む構成としてもよい。
この構成によれば、高電力駆動の第２駆動電力を制御することで、電極先端の突起が過度に溶融することを抑制できる。
【００２５】
前記駆動パラメーターは、前記高電力駆動において前記放電灯に供給される駆動電流波形を含む構成としてもよい。
この構成によれば、高電力駆動の駆動電流波形を制御することで、電極先端の突起が過度に溶融することを抑制できる。
【００２６】
前記駆動パラメーターは、前記高電力駆動の実行時間を含む構成としてもよい。
この構成によれば、高電力駆動の実行時間を制御することで、電極先端の突起が過度に溶融することを抑制できる。
【００２７】
前記制御部は、前記放電灯が点灯してから、前記定常点灯駆動が行われる定常点灯期間に移行するまでの立上期間において、前記高電力駆動を実行するように前記放電灯駆動部を制御する構成としてもよい。
この構成によれば、高電力駆動を行った際に、放電灯がちらつくことを抑制できる。
【００２８】
前記立上期間は、前記駆動電力が増加する第１立上期間と、前記駆動電力が一定の値に維持される第２立上期間と、を有し、前記第１立上期間において、前記駆動電力は、前記第２駆動電力に向けて増加し、前記第２立上期間において、前記駆動電力は、前記第２駆動電力の値に維持され、前記制御部は、前記第２立上期間において、前記高電力駆動を実行するように前記放電灯駆動部を制御する構成としてもよい。
この構成によれば、電極先端の突起を適度に溶融させることができ、突起の形状を維持することができる。
【００２９】
前記制御部は、前記定常点灯駆動が行われる定常点灯期間において、前記高電力駆動を実行するように前記放電灯駆動部を制御する構成としてもよい。
この構成によれば、放電灯の点灯状態を把握しやすく、高電力駆動の第１実行情報をより適切に設定できる。
【００３０】
前記第２駆動電力は、前記放電灯の電極間電圧が大きくなるに従って大きく設定される構成としてもよい。
この構成によれば、劣化が進行していない放電灯に対して第２駆動電力を相対的に小さく、劣化が進行している放電灯に対して第２駆動電力を相対的に大きくすることにより、放電灯の電極先端の突起が過度に溶融することを抑制し、突起の形状を維持することができる。
【００３１】
前記制御部は、前記電極の先端に形成される突起の成長を促進する突起形成駆動を実行可能であり、前記高電力駆動を実行した後で、かつ、前記定常点灯駆動を実行する前に、前記突起形成駆動を実行する構成としてもよい。
この構成によれば、高電力駆動を実行した後で、かつ、定常点灯駆動を実行する前に、放電灯の電極先端の突起の成長を促進する突起形成駆動が実行される。そのため、高電力駆動で扁平化した突起が、突起形成駆動によって成長し、先鋭化する。これにより、突起の形状が扁平化した状態で定常点灯駆動に移行することが抑制され、その結果、放電灯のちらつきが生じることを抑制できる。
【００３２】
前記突起形成駆動の駆動電流は、１００Ｈｚ以上、１０００Ｈｚ以下の交流電流を含む構成としてもよい。
この構成によれば、突起形成駆動において電極先端の突起の成長を促進できる。
【００３３】
前記高電力駆動の駆動電流は、１００Ｈｚ以上、１０００Ｈｚ以下の交流電流を含み、前記突起形成駆動の実行時間に対して前記交流電流が供給される時間の割合は、前記高電力駆動の実行時間に対して前記交流電流が供給される時間の割合よりも大きい構成としてもよい。
この構成によれば、突起形成駆動において電極先端の突起の成長をより促進できる。
【００３４】
前記定常点灯駆動の駆動電流は、１００Ｈｚ以上、１０００Ｈｚ以下の交流電流を含み、前記突起形成駆動の実行時間に対して前記交流電流が供給される時間の割合は、前記定常点灯駆動の実行時間に対して前記交流電流が供給される時間の割合よりも大きい構成としてもよい。
この構成によれば、突起が細くなり、電極間距離が大きくなることが抑制される。
【００３５】
前記制御部は、前記突起形成駆動において、前記第１駆動電力よりも大きく、かつ、前記第２駆動電力よりも小さい第３駆動電力が前記放電灯に供給されるように前記放電灯駆動部を制御する構成としてもよい。
この構成によれば、駆動電力が急激に変化することが抑制され、放電灯にかかる負荷が低減される。
【００３６】
前記制御部は、前記突起形成駆動の少なくとも一部の期間において前記放電灯に供給される駆動電力が、前記第１駆動電力から前記第２駆動電力に向かって連続的に変化するように前記放電灯駆動部を制御する構成としてもよい。
この構成によれば、駆動電力が急激に変化することがより抑制され、放電灯にかかる負荷がより低減される。
【００３７】
前記制御部は、前記第１情報に基づいて、前記突起形成駆動の第２実行情報を設定する構成としてもよい。
この構成によれば、高電力駆動における電極先端の突起の溶融度合いに応じて、突起形成駆動を制御できるため、より放電灯のちらつきが生じることを抑制できる。
【００３８】
前記制御部は、前記放電灯の劣化情報に基づいて、前記突起形成駆動の第２実行情報を設定する構成としてもよい。
この構成によれば、放電灯の劣化状態に応じて、適切に突起形成駆動の第２実行情報を設定できる。
【００３９】
前記劣化情報は、前記放電灯の電極間電圧である構成としてもよい。
この構成によれば、放電灯の劣化状態を把握できる。
【００４０】
前記第２実行情報は、前記突起形成駆動の実行時間を含む構成としてもよい。
この構成によれば、電極先端の突起が扁平化した状態で定常点灯駆動が実行されることを抑制できる。
【００４１】
前記突起形成駆動の駆動電流は、１００Ｈｚ以上、１０００Ｈｚ以下の交流電流を含み、前記第２実行情報は、前記突起形成駆動の実行時間に対して前記交流電流が供給される時間の割合を含む構成としてもよい。
この構成によれば、電極先端の突起が扁平化した状態で定常点灯駆動が実行されることを抑制できる。
【００４２】
本発明の光源装置の一つの態様は、光を射出する放電灯と、上記の放電灯駆動装置と、を備えることを特徴とする。
【００４３】
本発明の光源装置の一つの態様によれば、上記の放電灯駆動装置を備えるため、放電灯の放電を安定して維持することができる。
【００４４】
本発明のプロジェクターの一つの態様は、上記の光源装置と、前記光源装置から射出される光を映像信号に応じて変調する光変調素子と、前記光変調素子により変調された光を投射する投射光学系と、を備えることを特徴とする。
本発明のプロジェクターの一つの態様によれば、上記の光源装置を備えるため、放電灯の放電を安定して維持することができる。
【００４５】
本発明の放電灯駆動方法の一つの態様は、電極を有する放電灯に第１駆動電力を供給する定常点灯駆動と、前記放電灯に前記第１駆動電力よりも大きい第２駆動電力を供給する高電力駆動と、を含む放電灯駆動方法であって、所定の設定タイミングにおいて、前記高電力駆動に関する第１情報に基づいて前記高電力駆動の第１実行情報を設定することを特徴とする。
【００４６】
本発明の放電灯駆動方法の一つの態様によれば、上記と同様にして、放電灯の放電を安定して維持することができる。
また、本発明の放電灯駆動方法の一つの態様によれば、上記と同様にして、電極先端の突起が過度に溶融することを抑制し、放電灯の電極間距離が広がることを抑制できる。
【００４７】
前記電極の先端に形成される突起の成長を促進する突起形成駆動を含み、前記高電力駆動を実行した後で、かつ、前記定常点灯駆動を実行する前に、前記突起形成駆動を実行する駆動方法としてもよい。
この駆動方法によれば、上記と同様にして、放電灯のちらつきが生じることを抑制できる。
【図面の簡単な説明】
【００４８】
【図１】第１実施形態のプロジェクターの概略構成図である。
【図２】第１実施形態における放電灯の断面図である。
【図３】第１実施形態のプロジェクターの各種構成要素を示すブロック図である。
【図４】第１実施形態の放電灯点灯装置の回路図である。
【図５】第１実施形態の制御部の一構成例を示すブロック図である。
【図６】放電灯の電極先端の突起の様子を示す図である。
【図７】第１実施形態の駆動電力波形の一例を示す図である。
【図８】第１実施形態の制御部による放電灯駆動部の制御手順の一例を示すフローチャートである。
【図９】第２実施形態の駆動電力波形の一例を示す図である。
【図１０】第２実施形態の制御部による放電灯駆動部の制御手順の一例を示すフローチャートである。
【図１１】第３実施形態の制御部による放電灯駆動部の制御手順の一例を示すフローチャートである。
【図１２】第４実施形態の制御部による放電灯駆動部の制御手順の一例を示すフローチャートである。
【図１３】第５実施形態の制御部による放電灯駆動部の制御手順の一例を示すフローチャートである。
【図１４】第５実施形態における高電力モードの駆動電流波形の一例を示す図である。
【図１５】第５実施形態の制御部による放電灯駆動部の制御手順の他の一例を示すフローチャートである。
【図１６】第６実施形態の駆動電力波形の一例を示す図である。
【図１７】第６実施形態の制御部による放電灯駆動部の制御手順の一例を示すフローチャートである。
【図１８】第７実施形態の駆動電力波形の一例を示す図である。
【図１９】第７実施形態の制御部による放電灯駆動部の制御手順の一例を示すフローチャートである。
【図２０】放電灯の電極先端の溶融状態を示す図である。
【図２１】第７実施形態の駆動電力波形の他の一例を示す図である。
【図２２】第８実施形態の制御部による放電灯駆動部の制御手順の一例を示すフローチャートである。
【発明を実施するための形態】
【００４９】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００５０】
（第１実施形態）
図１に示すように、本実施形態のプロジェクター５００は、光源装置２００と、平行化レンズ３０５と、照明光学系３１０と、色分離光学系３２０と、３つの液晶ライトバルブ（光変調素子）３３０Ｒ，３３０Ｇ，３３０Ｂと、クロスダイクロイックプリズム３４０と、投射光学系３５０と、を備えている。
【００５１】
光源装置２００から射出された光は、平行化レンズ３０５を通過して照明光学系３１０に入射する。平行化レンズ３０５は、光源装置２００からの光を平行化する機能を有する。
【００５２】
照明光学系３１０は、光源装置２００から射出される光の照度を、液晶ライトバルブ３３０Ｒ，３３０Ｇ，３３０Ｂ上において均一化するように調整する機能を有する。照明光学系３１０は、光源装置２００から射出される光の偏光方向を一方向に揃える機能も有する。その理由は、光源装置２００から射出される光を液晶ライトバルブ３３０Ｒ，３３０Ｇ，３３０Ｂで有効に利用するためである。
【００５３】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色に対応付けられた液晶ライトバルブ３３０Ｒ，３３０Ｇ，３３０Ｂによりそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を備えている。偏光板は、液晶パネル５６０Ｒ，５６０Ｇ，５６０Ｂのそれぞれの光入射側および光射出側に配置される。
【００５４】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に映像が表示される。なお、平行化レンズ３０５、照明光学系３１０、色分離光学系３２０、クロスダイクロイックプリズム３４０および投射光学系３５０の各々の構成としては、周知の種々の構成を採用することができる。
【００５５】
図２は、光源装置２００の構成を示す図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡５０と、を備えている。
【００５６】
放電灯点灯装置１０は、放電灯９０に駆動電流（駆動電力）を供給して放電灯９０を点灯させる。主反射鏡１１２は、放電灯９０から放出された光を照射方向Ｄに向けて反射する。照射方向Ｄは、放電灯９０の光軸ＡＸと平行である。
【００５７】
放電灯９０の形状は、照射方向Ｄに沿って延びる棒状である。放電灯９０の一方の端部（図示左側の端部）を第１端部９０ｅ１とし、放電灯９０の他方の端部（図示右側の端部）を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００５８】
放電空間９１には、第１電極（電極）９２および第２電極（電極）９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００５９】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００６０】
第１端子５３６および第２端子５４６は、放電灯点灯装置１０に接続されている。放電灯点灯装置１０は、第１端子５３６および第２端子５４６に、放電灯９０を駆動するための駆動電流を供給する。その結果、第１電極９２および第２電極９３の間でアーク放電が起きる。アーク放電により発生した光（放電光）は、破線の矢印で示すように、放電位置から全方向に向かって放射される。
【００６１】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００６２】
副反射鏡５０は、固定部材５２２により、放電灯９０の第２端部９０ｅ２側に固定されている。副反射鏡５０の反射面（放電灯９０側の面）の形状は、放電空間９１の第２端部９０ｅ２側の部分を囲む球面形状である。副反射鏡５０は、放電光のうち、主反射鏡１１２が配置された側と反対側に向かって進む光を主反射鏡１１２に向かって反射する。これにより、放電空間９１から放射される光の利用効率を高めることができる。
【００６３】
固定部材１１４，５２２の材料は、放電灯９０からの発熱に耐え得る耐熱材料である範囲内において、特に限定されず、例えば、無機接着剤である。主反射鏡１１２および副反射鏡５０と放電灯９０との配置を固定する方法としては、主反射鏡１１２および副反射鏡５０を放電灯９０に固定する方法に限らず、任意の方法を採用できる。例えば、放電灯９０と主反射鏡１１２とを、独立にプロジェクター５００の筐体（図示せず）に固定してもよい。副反射鏡５０についても同様である。
【００６４】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Ｃｅｎｔｒａｌ Ｐｒｏｃｅｓｓｉｎｇ Ｕｎｉｔ）５８０と、を備えている。
【００６５】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００６６】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００６７】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００６８】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００６９】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００７０】
ＣＰＵ５８０は、プロジェクター５００の点灯開始から消灯に至るまでの各種の動作を制御する。例えば、図３の例では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。
【００７１】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、記憶部４４と、動作検出部６０と、イグナイター回路７０と、を備えている。
【００７２】
電力制御回路２０は、放電灯９０に供給する駆動電力を生成する。本実施形態においては、電力制御回路２０は、直流電源装置８０からの電圧を入力とし、その入力電圧を降圧して直流電流Ｉｄを出力するダウンチョッパー回路で構成されている。
【００７３】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００７４】
コイル２３の他端にコンデンサー２４の一端が接続され、コンデンサー２４の他端はダイオード２２のアノード端子および直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Ｐｕｌｓｅ  Ｗｉｄｔｈ  Ｍｏｄｕｌａｔｉｏｎ）制御信号が用いられてもよい。
【００７５】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００７６】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００７７】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００７８】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００７９】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００８０】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００８１】
制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値、周波数、点灯モード等を制御する。
【００８２】
制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。また、制御部４０は、電力制御回路２０に対して、出力される直流電流Ｉｄの電流値を制御する電流制御を行う。
【００８３】
本実施形態においては、制御部４０は、放電灯９０に定常点灯電力（第１駆動電力）Ｗｓが供給される定常点灯モード（定常点灯駆動）と、放電灯９０に定常点灯電力Ｗｓよりも大きいリフレッシュ電力（第２駆動電力）Ｗｒが供給される高電力モード（高電力駆動）とを実行可能である。本実施形態においては、リフレッシュ電力Ｗｒは、例えば、放電灯９０の定格電力Ｗｔ以下である。
【００８４】
制御部４０は、所定の設定タイミングにおいて、後述する第１情報に基づいて高電力モードの第１実行情報を設定する。詳細については後述する。
なお、本明細書において「設定タイミング」とは、第１実行情報を設定する瞬間のみを意味するものではなく、各種情報の参照等、制御部４０が第１実行情報を設定するために作動する期間全体を意味するものとする。
また、本明細書において、第１実行情報とは、高電力モードの実行情報である。
【００８５】
制御部４０の構成は、特に限定されない。本実施形態においては、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００８６】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧（電極間電圧）および駆動電流Ｉに基づき、電力制御回路コントローラー４２および極性反転回路コントローラー４３を制御してもよい。
【００８７】
本実施形態においては、システムコントローラー４１には、記憶部４４が接続されている。
システムコントローラー４１は、記憶部４４に格納された情報に基づき、電力制御回路２０および極性反転回路３０を制御する。記憶部４４には、例えば、駆動電流Ｉが同一極性で継続する保持時間、駆動電流Ｉの電流値、周波数、波形、変調パターン等の駆動パラメーターに関する情報が格納されている。
【００８８】
記憶部４４は、制御部４０によって制御され、高電力モードに関する第１情報が記憶される。
第１情報は、高電力モードに関係するあらゆる情報を含む。第１情報としては、例えば、高電力モードにおける、駆動電流Ｉの波形、駆動電力（リフレッシュ電力Ｗｒ）、実行時間、ランプ電圧、駆動リフレッシュ効果や、高電力モードが終了した時刻、高電力モードの終了後から次の設定タイミングまでの間における放電灯９０の点灯時間、等が挙げられる。駆動リフレッシュ効果は、第１電極９２および第２電極９３に加えられる熱負荷の大きさである。詳細については、第７実施形態において述べる。
【００８９】
また、記憶部４４には、第１情報に応じた高電力モードの第１実行情報、および第１情報から高電力モードの第１実行情報を得るためのルックアップテーブルや演算式等が格納されている。
高電力モードの第１実行情報は、高電力モードを実行するために必要なあらゆる情報を含む。第１実行情報としては、例えば、高電力モードの実行が抑制される高電力モード抑制時間（抑制時間）や、高電力モードの実行の有無、高電力モードの駆動パラメーター等が挙げられる。
【００９０】
第１情報は、高電力モードの第１実行情報について設定する設定タイミングにおいて、システムコントローラー４１によって参照される。システムコントローラー４１（制御部４０）は、記憶部４４の第１情報に応じて、高電力モードの第１実行情報を設定し、駆動電流Ｉを制御する。第１情報は、例えば、高電力モードが実行される度に更新、あるいは蓄積され、記憶部４４に記憶される。
【００９１】
電力制御回路コントローラー４２は、システムコントローラー４１からの制御信号に基づき、電力制御回路２０へ電流制御信号を出力することにより、電力制御回路２０を制御する。
【００９２】
極性反転回路コントローラー４３は、システムコントローラー４１からの制御信号に基づき、極性反転回路３０へ極性反転制御信号を出力することにより、極性反転回路３０を制御する。
【００９３】
制御部４０は、専用回路を用いて実現され、上述した制御や後述する処理の各種制御を行うようにすることができる。制御部４０は、例えば、ＣＰＵが記憶部４４に記憶された制御プログラムを実行することによりコンピューターとして機能し、これらの処理の各種制御を行うようにすることもできる。
【００９４】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００９５】
図４に示した例では、制御部４０は、放電灯点灯装置１０の一部として構成されている。これに対して、制御部４０の機能の一部をＣＰＵ５８０が担うように構成されていてもよい。
【００９６】
動作検出部６０は、例えば、放電灯９０のランプ電圧を検出し、制御部４０に駆動電圧情報を出力する電圧検出部、駆動電流Ｉを検出し、制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００９７】
本実施形態において、電圧検出部は、放電灯９０と並列に、互いに直列接続された第１の抵抗６１および第２の抵抗６２で分圧した電圧によりランプ電圧を検出する。また、本実施形態において、電流検出部は、放電灯９０に直列に接続された第３の抵抗６３に発生する電圧により駆動電流Ｉを検出する。
【００９８】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を放電灯９０の電極間（第１電極９２と第２電極９３との間）に供給する。本実施形態においては、イグナイター回路７０は、放電灯９０と並列に接続されている。
【００９９】
以下、駆動電流Ｉの極性と電極の温度との関係について説明する。
図６（ａ），（ｂ）は、第１電極９２および第２電極９３の動作状態を示す図である。
図６（ａ），（ｂ）には、第１電極９２および第２電極９３の先端部分が示されている。第１電極９２および第２電極９３の先端にはそれぞれ突起５５２ｐ，５６２ｐが形成されている。第１電極９２と第２電極９３との間で生じる放電は、主として突起５５２ｐと突起５６２ｐとの間で生じる。
【０１００】
図６（ａ）は、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。一方、電子を放出する側となる陰極（第２電極９３）の先端（突起５６２ｐ）の温度は低下する。
【０１０１】
図６（ｂ）は、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５６２ｐ）の温度が上昇する。一方、第１電極９２の先端（突起５５２ｐ）の温度は低下する。
【０１０２】
以上のように、電子が衝突する陽極の温度は上昇し、電子を放出する陰極の温度は低下する。すなわち、第１極性状態においては、第１電極９２の温度が上昇し、第２電極９３の温度が低下する。第２極性状態においては、第２電極９３の温度が上昇し、第１電極９２の温度が低下する。
【０１０３】
このように、電子が衝突する陽極の温度は、電子を放出する陰極の温度と比べて高くなりやすい。ここで、一方の電極の温度が他方の電極と比べて高い状態が続くことは、種々の不具合を引き起こす虞がある。例えば、高温となる電極の先端が過剰に溶けた場合には、意図しない電極の変形が生じ得る。その結果、電極間距離（アーク長）が適正値からずれ、照度が安定しない虞がある。逆に、低温となる電極の先端の溶融が不十分な場合には、先端に生じた微小な凹凸が溶けずに残る虞がある。その結果、いわゆるアークジャンプが生じる（アーク位置が安定せずに移動する）場合がある。
【０１０４】
なお、第１電極９２と第２電極９３とは、同様の構成であるため、以下の説明においては、代表して第１電極９２についてのみ説明する場合がある。また、第１電極９２の先端の突起５５２ｐと第２電極９３の先端の突起５６２ｐとは、同様の構成であるため、以下の説明においては、代表して突起５５２ｐについてのみ説明する場合がある。
【０１０５】
次に、本実施形態における放電灯９０へ供給される駆動電力の制御、すなわち、本実施形態の制御部４０による放電灯駆動部２３０の制御について説明する。
図７は、本実施形態の駆動電力の波形を示す図である。図７において、縦軸は、駆動電力Ｗを示しており、横軸は時間Ｔを示している。図７では、放電灯９０を点灯させた時点から定常点灯状態になるまでの駆動電力Ｗの変化を示している。
【０１０６】
図７に示すように、放電灯９０の点灯を開始すると、駆動電力は徐々に上昇した後、所定の目標電力に到達する。このとき、放電灯９０の内部のプラズマ密度は小さく、温度は低く、駆動電力Ｗは不安定な状態である。その後、放電灯９０の内部のプラズマ密度が大きく、温度が高くなるにつれて、駆動電力Ｗは安定な状態となる。放電灯９０の点灯開始から駆動電力Ｗが安定するまでの期間を立上期間ＰＨ１と定義する。立上期間ＰＨ１が過ぎた後は継続的に放電灯９０を点灯させる期間に入る。この期間を定常点灯期間ＰＨ２と定義する。
【０１０７】
本実施形態の駆動電力波形においては、立上期間ＰＨ１は、リフレッシュ電力（第２駆動電力）Ｗｒに向けて駆動電力Ｗが徐々に増加する第１立上期間ＰＨ１１と、駆動電力Ｗがリフレッシュ電力Ｗｒの値に一定に維持される第２立上期間ＰＨ１２と、を有している。第２立上期間ＰＨ１２は、すなわち、高電力モードで放電灯９０が駆動される高電力点灯期間である。言い換えると、本実施形態においては、放電灯９０が点灯してから、定常点灯期間ＰＨ２に移行するまでの立上期間ＰＨ１において、高電力モードが実行される。
第１立上期間ＰＨ１１の長さ、および第２立上期間ＰＨ１２の長さ（実行時間ｔｒ１）は適宜設定することができる。
【０１０８】
定常点灯期間ＰＨ２は、放電灯９０に定常点灯電力（第１駆動電力）Ｗｓが供給される定常点灯モードが実行される期間である。定常点灯電力Ｗｓは、第２立上期間ＰＨ１２におけるリフレッシュ電力Ｗｒよりも小さい。
【０１０９】
具体的には、一例として、放電灯９０の定格電力Ｗｔが２００Ｗであり、定常点灯電力Ｗｓが１４０Ｗであり、リフレッシュ電力Ｗｒが１９０Ｗである。
【０１１０】
ランプ点灯開始、すなわち、時刻０から時刻Ｔｂまでの第１立上期間ＰＨ１１では、駆動電力Ｗは０Ｖから１９０Ｗに向けて直線的に増加する。時刻Ｔｂから時刻Ｔｃまでの第２立上期間ＰＨ１２では、駆動電力Ｗは１９０Ｗで一定に維持される。時刻Ｔｃ以降の定常点灯期間ＰＨ２では、駆動電力は１４０Ｗで一定に維持される。時刻Ｔｂは、一例としてランプ点灯開始から４５秒後の時点であり、時刻Ｔｃは、一例としてランプ点灯開始から１００秒後の時点である。すなわち、例えば、高電力モードの実行時間ｔｒ１は、５５秒間である。
【０１１１】
図４に示す制御部４０は、高電力モードに関する第１情報と、設定タイミングにおける放電灯９０の点灯状態に関する第２情報とに基づいて、高電力モードの第１実行情報を設定し、その第１実行情報に従って放電灯駆動部２３０を制御する。
【０１１２】
第２情報は、高電力モードの第１実行情報を設定する設定タイミングにおける放電灯９０の点灯状態に関係するあらゆる情報を含む。第２情報としては、例えば、設定タイミングにおける放電灯９０の累積点灯時間、ランプ電圧、点灯モード、駆動電力等の駆動パラメーター等が挙げられる。
【０１１３】
具体的には、本実施形態において制御部４０は、ランプ電圧（第２情報）を参照して放電灯９０の劣化の程度を検出し、その放電灯９０の劣化の程度に応じたリフレッシュ電力Ｗｒの値（第１情報）を、記憶部４４を参照して取得する。これにより、高電力モードの第１実行情報を適宜設定する。
【０１１４】
放電灯９０の劣化（損耗）が進行している程、電極間距離の増大に伴ってランプ電圧が高くなる。このとき、リフレッシュ電力Ｗｒを高くして電極先端の突起をより溶融させる必要がある。特に低電力モードで放電灯９０を駆動した場合、電極の先端部分のみが溶融して微小な突起が形成される。低電力モードでは電極が溶融しにくいため、突起が変形しやすく、投影画面のちらつきが発生するおそれがある。ところが、微小な突起を適切に形成すれば、その突起によりアーク放電が安定し、ちらつきが抑えられる。
【０１１５】
劣化していない新品の放電灯９０に対してリフレッシュ電力Ｗｒを高くすると、電極の先端が溶融し過ぎ、微小な突起が消滅してしまう。劣化が進行した放電灯９０では電流値が低くなる分、尖度を保ちながら電極を適度に溶融させることができる。そのため、劣化が進行していない放電灯９０に対してリフレッシュ電力Ｗｒを相対的に低く、劣化が進行している放電灯９０に対してリフレッシュ電力Ｗｒを相対的に高くする。言い換えると、リフレッシュ電力Ｗｒは、ランプ電圧が大きくなるに従って大きく設定される。このように、プロジェクターの設計者は、ランプ電圧と、そのランプ電圧に対して最適なリフレッシュ電力Ｗｒとの相関関係を予め求めておくことで、投影画面のちらつきを抑えることができる。ランプ電圧とリフレッシュ電力Ｗｒとの相関関係の一例を［表１］に示す。
【０１１６】
【表１】
2015187966.tif 000003
【０１１７】
次に、制御部４０による放電灯駆動部２３０の制御について説明する。以下の説明においては、制御部４０がランプ電圧（電極間電圧）を参照してからリフレッシュ電力Ｗｒを決定するまでの第１の手順について、図８を用いて説明する。
放電灯９０が点灯開始されて（ステップＳ０１）、第１立上期間ＰＨ１１内においてランプ電圧を参照するまでの時間、すなわち、ランプ電圧を参照する時刻Ｔａを予め設定しておく。時刻Ｔａは、例えば、ランプ点灯開始から２０秒後の時点とする。制御部４０は、放電灯９０の点灯が開始してから時刻Ｔａ（２０秒）が経過したか否かを判断する（ステップＳ０２）。
【０１１８】
時刻Ｔａ（２０秒）が経過したら、制御部４０はランプ電圧を参照する（ステップＳ０３）。第１立上期間ＰＨ１１中は駆動電力の増大に伴ってランプ電圧が徐々に上昇する。したがって、時刻Ｔａで参照したランプ電圧は、定常点灯期間ＰＨ２におけるランプ電圧とは異なる。そこで、プロジェクターの設計者は、時刻Ｔａでのランプ電圧値から定常点灯期間ＰＨ２でのランプ電圧を求める換算式、もしくは複数の放電灯を実測して得られた電圧推移の統計値に基づく換算テーブルを予め用意し、記憶部４４に格納しておく。換算テーブルの一例を［表２］に示す。
なお、［表２］では、時刻Ｔａでのランプ電圧値と定常点灯期間ＰＨ２でのランプ電圧との関係に加え、［表１］に示したリフレッシュ電力Ｗｒとの関係も組み合わせて示している。
【０１１９】
【表２】
2015187966.tif 000004
【０１２０】
制御部４０は、［表２］に基づいて、定常点灯期間ＰＨ２におけるランプ電圧を推定し（ステップＳ０４）、リフレッシュ電力Ｗｒを決定する（ステップＳ０５）。例えば、時刻Ｔａで参照したランプ電圧が３０Ｖであったとすると、［表２］から定常点灯期間ＰＨ２におけるランプ電圧の推定値は８１〜９０Ｖとなる。このとき、最適なリフレッシュ電力Ｗｒの値は１９０Ｗとなり、図７に示すような駆動電力波形となる。
【０１２１】
本実施形態においては、ステップＳ０３からステップＳ０５までが設定タイミングに相当する。また、時刻Ｔａは第１立上期間ＰＨ１１における任意の時点である。すなわち、本実施形態において、設定タイミングは、第１立上期間ＰＨ１１の任意の時点に設定される。
【０１２２】
以上のようにして、制御部４０は、リフレッシュ電力Ｗｒを決定し、放電灯駆動部２３０を制御する。これにより、放電灯９０が駆動される。
【０１２３】
上記の制御部４０による放電灯駆動部２３０の制御は、放電灯駆動方法として表現することもできる。すなわち、本実施形態の放電灯駆動方法は、第１電極９２および第２電極９３を有する放電灯９０に定常点灯電力Ｗｓを供給する定常点灯モードと、放電灯９０に定常点灯電力Ｗｓよりも大きいリフレッシュ電力Ｗｒを供給する高電力モードと、を含む放電灯駆動方法であって、所定の設定タイミングにおいて、高電力モードに関する第１情報に基づいて高電力モードの第１実行情報を設定することを特徴とする。
【０１２４】
本実施形態によれば、記憶部４４に記憶された高電力モードに関する第１情報に基づいて、高電力モードの第１実行情報が設定される。そのため、第１電極９２の突起５５２ｐの状態に応じて、高電力モード時において突起５５２ｐに加えられる熱負荷の大きさを調整できる。したがって、本実施形態によれば、突起５５２ｐが溶融され過ぎることを抑制でき、放電灯９０の放電を安定して維持することができる。
【０１２５】
また、本実施形態によれば、リフレッシュ電力Ｗｒは、放電灯９０の定格電力Ｗｔ以下に設定される。そのため、リフレッシュ電力Ｗｒが放電灯９０の定格電力Ｗｔを超えず、放電灯９０に過度の負荷を与えることはない。これにより、本実施形態によれば、放電灯９０の放電を安定して維持することができる。
【０１２６】
また、本実施形態によれば、上述したように、放電灯点灯装置１０において、駆動電力波形は、放電灯９０の立上期間ＰＨ１として、リフレッシュ電力Ｗｒに向けて駆動電力Ｗが徐々に増加する第１立上期間ＰＨ１１と、駆動電力Ｗがリフレッシュ電力Ｗｒの値に一定に維持される第２立上期間ＰＨ１２と、を有している。さらに、制御部４０は、放電灯９０の劣化の程度に応じてリフレッシュ電力Ｗｒの値を調整する構成、すなわち、第１情報と第２情報とに基づいて高電力モードの第１実行情報を設定する構成となっている。
【０１２７】
そのため、放電灯９０の劣化の程度に係わらず、電極先端の突起を常に適度に溶融させることができ、突起の形状を維持することができる。その結果、放電が安定することにより、照度変化が少なく、寿命の長い光源装置２００を実現できる。これにより、表示品位に優れ、信頼性の高いプロジェクター５００を実現できる。
【０１２８】
また、本実施形態において、制御部４０は、第１立上期間ＰＨ１１内の任意の時刻Ｔａにおけるランプ電圧を参照し、ランプ電圧の参照結果から定常点灯期間ＰＨ２のランプ電圧を推定する構成となっている。この構成によれば、１回の点灯毎に第１立上期間ＰＨ１１でのランプ電圧を参照するため、定常点灯期間ＰＨ２のランプ電圧を精度良く推定でき、放電灯９０の劣化の程度を的確に検出することができる。
【０１２９】
ただし、ランプ電圧の参照からリフレッシュ電力Ｗｒの決定までの手順としては、上記の第１の手順に代えて、以下の第２の手順を採用してもよい。第２の手順において、制御部４０は、前回の放電灯点灯時に参照したランプ電圧を例えば記憶部４４に記憶させておく。その後、次回の放電灯点灯時に、制御部４０は、記憶部４４からランプ電圧を読み出し、その読み出し結果から定常点灯期間ＰＨ２のランプ電圧を推定する。
【０１３０】
第２の手順を採用した場合、前回の点灯時に記憶済みの電極間電圧を次回の点灯時に参照するため、立上期間ＰＨ１内でランプ電圧を参照することなく、定常点灯期間ＰＨ２のランプ電圧を容易に推定でき、放電灯９０の劣化の程度を的確に検出することができる。
なお、前回の放電灯点灯時のランプ電圧は、後述する第４実施形態における第３情報に相当する。
【０１３１】
なお、例えば上記実施形態では、ランプ電圧を参照することにより放電灯の劣化の程度を検出したが、この構成に代えて、例えばランプ電圧を参照することなく、放電灯の累積点灯時間（第２情報）を参照して放電灯の劣化の程度を検出してもよい。この場合、放電灯の累積点灯時間とリフレッシュ電力Ｗｒとの関係を示すテーブル等を用意しておけばよい。その他、放電灯駆動装置、光源装置、プロジェクターの具体的な構成については、上記実施形態の例に限らず、適宜変更が可能である。
【０１３２】
また、本実施形態においては、リフレッシュ電力Ｗｒが定格電力Ｗｔよりも大きい構成としてもよい。
【０１３３】
（第２実施形態）
第２実施形態は、第１実施形態に対して、制御部４０が前回の高電力モードの点灯状態に関する第１情報に基づいて高電力モード抑制時間を設定する点において異なる。
なお、以下の説明においては、上記実施形態と同様の構成については、適宜同一の符号を付す等により、説明を省略する場合がある。
【０１３４】
図９は、本実施形態の駆動電力の波形を示す図である。図９において、縦軸は、駆動電力Ｗを示しており、横軸は時間Ｔを示している。図９では、放電灯９０を点灯させた時点から定常点灯状態になるまでの駆動電力Ｗの変化を示している。
【０１３５】
リフレッシュ電力Ｗｒ、すなわち、高電力モードの駆動電力Ｗは、放電灯９０に印加されるランプ電圧、すなわち、動作検出部６０により検出されるランプ電圧の値に応じて設定される。具体的には、高電力モードの駆動電力Ｗは、例えば、［表３］のように設定される。この場合における定常点灯電力Ｗｓは、例えば、１４０Ｗである。
【０１３６】
【表３】
2015187966.tif 000005
【０１３７】
［表３］に示すように、例えば、ランプ電圧が７５Ｖよりも大きい範囲では、リフレッシュ電力Ｗｒは２００Ｗと設定されるのに対して、ランプ電圧が７５Ｖ以下の範囲では、リフレッシュ電力Ｗｒは１６０Ｗと設定される。
【０１３８】
ランプ電圧が小さい範囲においては、放電灯９０の劣化度合いが小さく、定常点灯期間ＰＨ２においても第１電極９２の突起５５２ｐが溶融しやすい。そのため、高電力モードの駆動電力、すなわち、リフレッシュ電力Ｗｒを小さく設定することで、突起５５２ｐの過度な溶融を抑制できる。
なお、本実施形態において参照されるランプ電圧は、前回実行された高電力モード時のランプ電圧である。
【０１３９】
次に、本実施形態の制御部４０による放電灯駆動部２３０の制御について説明する。
図１０は、本実施形態の制御部４０による放電灯駆動部２３０の制御手順の一例を示すフローチャートである。
【０１４０】
図１０に示すように、放電灯９０が点灯開始され（ステップＳ１０）、制御部４０は、記憶部４４を参照し、前回の高電力モードに関する第１情報が記憶されているか否かを判定する（ステップＳ１１）。そして、第１情報が記憶されていれば（ステップＳ１１：ＹＥＳ）、制御部４０は、第１情報に基づいて高電力モード抑制時間（第１実行情報）を設定する（ステップＳ１２）。
【０１４１】
高電力モード抑制時間は、高電力モードが実行された後、次の高電力モードが実行可能となるまでの放電灯９０の点灯時間である。すなわち、前回、高電力モードが実行された後における放電灯９０の点灯時間が、高電力モード抑制時間以下の場合には、高電力モードは実行されない。
【０１４２】
本実施形態において、高電力モード抑制時間の設定は、例えば、記憶部４４に記憶されている第１情報と高電力モード抑制時間との関係を示すルックアップテーブルを用いて行われる。本実施形態においては、高電力モード抑制時間を設定するための第１情報として、例えば、前回の高電力モード時において検出されたランプ電圧が用いられる。本実施形態における具体的なルックアップテーブルの一例を［表４］に示す。
【０１４３】
【表４】
2015187966.tif 000006
【０１４４】
表４から分かるように、前回の高電力モード時のランプ電圧が大きくなるほど、高電力モード抑制時間は長くなるように設定される。これは、ランプ電圧が大きくなるほど、突起５５２ｐが十分に成長するための時間が長くなるためである。放電灯９０に供給される電力が一定である場合には、ランプ電圧の上昇に伴って、電極間に流れる駆動電流Ｉの値が小さくなり、突起５５２ｐの成長が遅くなる。そのため、高電力モードが終了した後から、突起５５２ｐが十分に成長するまでの時間が長くなる。
【０１４５】
なお、放電灯９０に印加されるランプ電圧の上昇は、放電灯９０の劣化を意味する。すなわち、放電灯９０が劣化するにしたがって、突起５５２ｐの成長に要する時間は長くなる。
表４に示すルックアップテーブルでは、前回の高電力モードの終了時点から次の設定タイミングまでにおける放電灯９０の劣化度合いが大きくなるにしたがい、高電力モード抑制時間が大きくなる。すなわち、ランプ電圧の上昇に応じて高電力モード抑制時間が設定される。
【０１４６】
記憶部４４に第１情報が記憶されていない場合（ステップＳ１１：ＮＯ）には、制御部４０は、ステップを、高電力モードを実行するステップＳ１４へと進行させる。
【０１４７】
次に、制御部４０は、前回の高電力モードが終了した時点、すなわち、第２立上期間ＰＨ１２が終了した時点から、設定された高電力モード抑制時間が経過したかどうかを判定する（ステップＳ１３）。すなわち、制御部４０は、前回の高電力モードが終了した後の点灯時間（第１情報）が、高電力モード抑制時間より長いかどうかを判定し、高電力モードの実行の有無（第１実行情報）を決定する。
【０１４８】
高電力モード抑制時間が経過している場合（ステップＳ１３：ＹＥＳ）には、制御部４０は、高電力モードの実行を決定し、所定のタイミングで高電力モードを実行する（ステップＳ１４）。本実施形態においては、立上期間ＰＨ１において高電力モードが実行されるため、駆動電力Ｗがリフレッシュ電力Ｗｒまで上昇した時点（時刻Ｔｂ）から高電力モードが実行される。すなわち、図９に示すように、第１立上期間ＰＨ１１は、駆動電力Ｗがリフレッシュ電力Ｗｒまで上昇した時刻Ｔｂから、高電力モードの実行期間である第２立上期間ＰＨ１２へと移行する。
その後、制御部４０は、時刻Ｔｃから点灯期間を定常点灯期間ＰＨ２へと移行させる（ステップＳ１５）。
【０１４９】
一方、図１０に示すように、高電力モード抑制時間が経過していない場合（ステップＳ１３：ＮＯ）には、制御部４０は、高電力モードを実行しないことを決定し、高電力モードを実行せずに、点灯期間を定常点灯期間ＰＨ２へと移行させる（ステップＳ１６）。すなわち、図９に示すように、駆動電力Ｗが定常点灯電力Ｗｓまで上昇した時刻Ｔｄから駆動電力Ｗは一定となり、その後、点灯期間が定常点灯期間ＰＨ２へと移行する。この場合においては、ランプ点灯開始から時刻Ｔｄまでの期間が第１立上期間ＰＨ１３に相当し、時刻Ｔｄから時刻Ｔｃまでが第２立上期間ＰＨ１４に相当する。
【０１５０】
本実施形態においては、ステップＳ１１からステップＳ１３までが設定タイミングに相当する。本実施形態においては、設定タイミング、すなわち、ステップＳ１１からステップＳ１３は、ランプ点灯開始から駆動電力Ｗが定常点灯電力Ｗｓになる時刻Ｔｄまでの間であれば、どこに設けられていてもよい。
【０１５１】
以上のようにして、制御部４０は、放電灯駆動部２３０を制御し、放電灯９０を駆動する。
【０１５２】
上記の制御部４０による放電灯駆動部２３０の制御は、放電灯駆動方法として表現することもできる。すなわち、本実施形態の放電灯駆動方法は、放電灯９０に定常点灯電力Ｗｓを供給する定常点灯モードと、放電灯９０に定常点灯電力Ｗｓ電力よりも大きいリフレッシュ電力Ｗｒを供給する高電力モードと、を含む放電灯駆動方法であって、高電力モードに関する第１情報を記憶し、所定の設定タイミングにおいて、第１情報に基づいて高電力モードの第１実行情報を設定することを特徴とする。
【０１５３】
ランプ点灯開始後の所定の期間において高電力モードが実行される構成においては、例えば、短い期間の中で電源のＯＮ／ＯＦＦが連続して行われる等により、高電力モードが実行される間隔が狭くなる場合がある。このような場合、高電力モードによって溶融した電極先端の突起が十分に成長する前に、再度高電力モードが実行され、電極先端の突起が過度に溶融される場合があった。その結果、かえって電極間距離が広がり、ランプ（放電灯）の寿命が低下してしまう問題があった。
【０１５４】
これに対して、本実施形態によれば、制御部４０は、前回の高電力モードの点灯状態に関する第１情報、例えば、ランプ電圧、に基づいて高電力モード抑制時間を設定する。そして、制御部４０は、前回の高電力モードの終了後から次の設定タイミングまでの間における点灯時間が高電力モード抑制時間よりも長いかどうかについて判定し、高電力モードの実行の有無について決定する。これにより、高電力モードが終了した後、第１電極９２の突起５５２ｐが十分に成長する前に、再び高電力モードを実行されることを抑制できる。したがって、本実施形態によれば、突起５５２ｐが過度に溶融されることを抑制でき、放電灯９０の電極間距離が広がることを抑制できる。
【０１５５】
また、高電力モードが実行されると、放電灯９０に供給される駆動電力Ｗが大きくなるため、放電灯９０から射出される光の強度が大きくなる。これにより、定常点灯期間中に高電力モードが実行されると、放電灯９０から射出される光の強度が変化し、ちらつきが生じる場合がある。
これに対して、本実施形態によれば、立上期間ＰＨ１において高電力モードが実行される。そのため、定常点灯期間ＰＨ２において駆動電力Ｗが大きくなることが抑制され、放電灯９０のちらつきが生じることを抑制できる。
【０１５６】
なお、本実施形態においては、以下の構成を採用してもよい。
【０１５７】
上記説明した実施形態においては、高電力モードに関する第１情報として、前回の高電力モード時におけるランプ電圧を用いたが、これに限られない。本実施形態においては、第１情報として、高電力モード時におけるリフレッシュ電力Ｗｒ等を用いてもよい。この場合においては、前回の高電力モード時におけるリフレッシュ電力Ｗｒが大きいほど、高電力モード抑制時間が長くなるように設定される。これは、リフレッシュ電力Ｗｒが大きいほど、突起５５２ｐが溶融するためである。
【０１５８】
また、上記説明した実施形態においては、制御部４０は、ルックアップテーブルを用いて第１実行情報を設定したが、これに限られない。本実施形態においては、制御部４０は、例えば、演算式を用いることによって第１実行情報を算出し、設定してもよい。
【０１５９】
また、上記説明した実施形態においては、制御部４０は、前回の高電力モードの第１情報のみを参照して第１実行情報を設定したが、これに限られない。本実施形態においては、制御部４０は、設定タイミングより前に実行された高電力モードに関する第１情報を複数参照して第１実行情報を設定してもよい。具体的には、制御部４０は、例えば、複数の第１情報の変化の傾向等から、記憶部４４に記憶されたルックアップテーブルや演算式等を補正し、これらを用いて第１実行情報を設定してもよい。
【０１６０】
また、本実施形態においては、複数の第１情報を用いて高電力モードの第１実行情報が設定されてもよい。具体的には、例えば、高電力モード時のランプ電圧と、高電力モード時のリフレッシュ電力Ｗｒとを用いて、高電力モード抑制時間が設定されてもよい。
【０１６１】
（第３実施形態）
第３実施形態は、第２実施形態に対して、設定タイミングにおいて放電灯９０の点灯状態に関する第２情報を取得し、前回の高電力モードに関する第１情報と第２情報とに基づいて高電力モードの第１実行情報を設定する点において異なる。
なお、以下の説明においては、上記実施形態と同様の構成については、適宜同一の符号を付す等により、説明を省略する場合がある。
【０１６２】
図１１は、本実施形態における制御部４０の放電灯駆動部２３０の制御手順について示すフローチャートである。
図１１に示すように、放電灯９０が点灯開始され（ステップＳ２０）、制御部４０は、第２実施形態と同様に、記憶部４４に前回の高電力モードに関する第１情報が記憶されているかどうかを判定する（ステップＳ２１）。
【０１６３】
記憶部４４に第１情報が記憶されている場合（ステップＳ２１：ＹＥＳ）には、制御部４０は、次にランプ点灯開始から所定時間が経過したかどうかを判定する（ステップＳ２２）。所定時間は、ランプ点灯開始からランプ電圧を参照するまでの時間であり、図９において時刻Ｔａとなる時間である。時刻Ｔａの値は、例えば、予め記憶部４４に記憶されている。
【０１６４】
なお、記憶部４４に第１情報が記憶されていない場合（ステップＳ２１：ＮＯ）は、制御部４０は、第２実施形態と同様にして、ステップを、高電力モードを実行するステップＳ２７へと進行させる。
【０１６５】
制御部４０は、ランプ点灯開始から所定時間が経過した場合（ステップＳ２２：ＹＥＳ）、例えば、時刻Ｔａにおいて、ランプ電圧（第２情報）を検出する（ステップＳ２３）。ここで、第１実施形態において述べたように、時刻Ｔａで参照したランプ電圧は、定常点灯期間ＰＨ２におけるランプ電圧とは異なるため、プロジェクターの設計者は、時刻Ｔａでのランプ電圧値から定常点灯期間ＰＨ２でのランプ電圧を求める換算式、もしくは複数の放電灯を実測して得られた電圧推移の統計値に基づく換算テーブルを予め用意し、記憶部４４に格納しておく。換算テーブルの一例を［表５］に示す。
なお、［表５］では、時刻Ｔａでのランプ電圧値と定常点灯期間ＰＨ２でのランプ電圧との関係に加え、高電力モード抑制時間との関係についても示している。
【０１６６】
【表５】
2015187966.tif 000007
【０１６７】
［表５］に示すルックアップテーブルは、所定の設定タイミング（時刻Ｔａ）における放電灯９０の劣化度合い、すなわち、ランプ電圧が大きくなるにしたがい、上記第２実施形態と同様に、高電力モード抑制時間が大きくなるように設定されている。
【０１６８】
制御部４０は、時刻Ｔａにおいて検出されたランプ電圧および［表５］に基づいて、定常点灯期間ＰＨ２におけるランプ電圧（第２情報）を推定する（ステップＳ２４）。そして、推定したランプ電圧値に基づいて高電力モード抑制時間を設定する（ステップＳ２５）。その後、制御部４０は、第１実施形態と同様にして、前回の高電力モードが終了した時点から高電力モード抑制時間が経過しているかどうかを判定し（ステップＳ２６）、高電力モード抑制時間が経過している場合（ステップＳ２６：ＹＥＳ）には、高電力モードを実行し（ステップＳ２７）、その後点灯期間を定常点灯期間ＰＨ２に移行させる（ステップＳ２８）。高電力モード抑制時間が経過していない場合（ステップＳ２６：ＮＯ）には、制御部４０は、高電力モードを実行せずに、点灯期間を定常点灯期間ＰＨ２へと移行させる（ステップＳ２９）。
【０１６９】
本実施形態においては、ステップＳ２１〜Ｓ２６が、高電力モードの第１実行情報を設定する設定タイミングに相当する。また、ステップＳ２２からステップＳ２４までは、放電灯９０の点灯状態に関する第２情報を取得するステップである。本実施形態においては、第２情報は、設定タイミングにおける放電灯９０のランプ電圧、より詳細には時刻Ｔａにおける放電灯９０のランプ電圧である。
【０１７０】
本実施形態によれば、より適切に高電力モードの第１実行情報を設定することができる。以下、詳細に説明する。
【０１７１】
第２実施形態においては、放電灯９０の劣化状態を取得する情報として、前回の高電力モードにおけるランプ電圧を用いていたため、［表４］のルックアップテーブルは、前回の高電力モードから次の設定タイミングまでの間における放電灯９０の劣化、すなわち、ランプ電圧の上昇に応じて設定されていた。しかし、前回の高電力モード以降の使用時間が長時間であるような場合には、放電灯９０の劣化が想定以上に進行し、適切に高電力モードの第１実行情報、例えば、高電力モード抑制時間を設定できない場合があった。
【０１７２】
これに対して、本実施形態によれば、高電力モードの第１実行情報を設定する設定タイミングにおいて、放電灯９０の点灯状態に関する第２情報を取得し、その第２情報に基づいて高電力モードの第１実行情報を設定する。そのため、本実施形態によれば、より正確に放電灯９０の劣化状態を取得でき、より適切に高電力モードの第１実行情報を設定できる。
【０１７３】
なお、本実施形態においては、以下の構成を採用してもよい。
【０１７４】
本実施形態においては、第２情報として、放電灯９０の累積点灯時間を用いてもよい。この場合には、放電灯９０の実使用時間（累積点灯時間）から、放電灯９０の劣化状態を把握できる。
【０１７５】
また、本実施形態においては、複数の第２情報を用いて高電力モードの第１実行情報が設定されてもよい。具体的には、例えば、設定タイミングにおけるランプ電圧と、設定タイミングにおける放電灯９０の累積点灯時間とを用いて、高電力モード抑制時間が設定されてもよい。
【０１７６】
また、本実施形態においては、第１情報と第２情報とを用いて高電力モードの第１実行情報が設定されてもよい。具体的には、例えば、設定タイミングにおけるランプ電圧と、前回の高電力モードにおけるリフレッシュ電力Ｗｒとを用いて、高電力モード抑制時間が設定されてもよい。
【０１７７】
（第４実施形態）
第４実施形態は、第２実施形態に対して、高電力モードの終了後から次の設定タイミングまでの間に実行される点灯モードに関する第３情報に基づいて高電力モード抑制時間を設定する点において異なる。
なお、以下の説明においては、上記実施形態と同様の構成については、適宜同一の符号を付す等により、説明を省略する場合がある。
【０１７８】
本実施形態においては、高電力モードに関する第１情報に加えて、高電力モードの終了後から次の設定タイミングまでの間に実行される点灯モードに関する第３情報が、記憶部４４に記憶される。第３情報が記憶部４４に記憶されるタイミングは、高電力モードが立上期間ＰＨ１に設けられる場合、例えば、プロジェクター５００の電源がＯＦＦされる直前である。
【０１７９】
第３情報は、高電力モードの終了後から次の設定タイミングまでの間に実行される点灯モードに関するあらゆる情報を含む。なお、以下の説明においては、高電力モードの終了後から次の設定タイミングまでの間に実行される点灯モードを、直前の点灯モードと称する。
【０１８０】
第３情報としては、例えば、直前の点灯モードにおける放電灯９０のランプ電圧、すなわち、第１実施形態で述べた前回の放電灯点灯時のランプ電圧、駆動電力Ｗ、実行時間等が挙げられる。
直前の点灯モードは、例えば、定常点灯モード、高電力モード、低電力モード、調光モード、待機モード等のプロジェクター５００に設定されている各種点灯モードを含む。
【０１８１】
図１２は、本実施形態における制御部４０の放電灯駆動部２３０の制御手順について示すフローチャートである。
図１２に示すように、制御部４０は、放電灯９０が点灯開始され（ステップＳ３０）、記憶部４４に前回の高電力モードに関する第１情報、および直前の点灯モードに関する第３情報が記憶されているかどうか判定する（ステップＳ３１）。
【０１８２】
記憶部４４に第１情報および第３情報が記憶されている場合（ステップＳ３１：ＹＥＳ）には、まず第３情報に基づいて、高電力モード抑制時間が設定される（ステップＳ３２）。高電力モード抑制時間の設定は、例えば、第３情報と高電力モード抑制時間との関係を示すルックアップテーブルを用いて行われる。このルックアップテーブルは、記憶部４４に記憶されている。本実施形態においては、第３情報として、例えば、直前の点灯モードの駆動電力を用いる。本実施形態における具体的なルックアップテーブルの一例を［表６］に示す。
【０１８３】
【表６】
2015187966.tif 000008
【０１８４】
［表６］に示すように、直前の点灯モードの駆動電力が大きいほど、高電力モード抑制時間は短く設定される。これは、高電力モードの後に設定される点灯モードの駆動電力が大きいほど、第１電極９２の突起５５２ｐの成長が速いためである。［表６］に示す例の場合では、高電力モードにおけるリフレッシュ電力Ｗｒは、例えば、２００Ｗに設定される。
【０１８５】
ここで、［表６］に示す定常点灯電力Ｗｓが２００Ｗの場合とは、直前の点灯モードが高電力モードである場合である。この場合、放電灯９０は、定常状態において、駆動電力Ｗが２００Ｗの高電力モードで駆動されているため、高電力モード抑制時間は０ｈに設定される。
【０１８６】
なお、記憶部４４に第１情報および第３情報が記憶されていない場合（ステップＳ３１：ＮＯ）は、制御部４０は、第２実施形態と同様にして、ステップを、高電力モードを実行するステップＳ３４へと進行させる。
【０１８７】
高電力モード抑制時間を設定した後、制御部４０は、第２実施形態と同様にして、前回の高電力モードが終了した時点から高電力モード抑制時間が経過しているかどうかを判定し（ステップＳ３３）、高電力モード抑制時間が経過している場合（ステップＳ３３：ＹＥＳ）には、高電力モードを実行し（ステップＳ３４）、その後点灯期間を定常点灯期間ＰＨ２に移行させる（ステップＳ３５）。高電力モード抑制時間が経過していない場合（ステップＳ３３：ＮＯ）には、制御部４０は、高電力モードを実行せずに、点灯期間を定常点灯期間ＰＨ２へと移行させる（ステップＳ３６）。
本実施形態においては、ステップＳ３１〜Ｓ３３が、高電力モードの第１実行情報を設定する設定タイミングに相当する。
【０１８８】
本実施形態によれば、直前の点灯モードに関する第３情報に基づいて、高電力モード抑制時間を設定するため、前回の高電力モードが実行された後の突起５５２ｐの成長度合いをより正確に把握できる。したがって、本実施形態によれば、高電力モードの第１実行情報をより適切に設定できる。
【０１８９】
なお、本実施形態においては、以下の構成を採用してもよい。
【０１９０】
上記説明した実施形態においては、第３情報を記憶するタイミングをプロジェクター５００の電源をＯＦＦにする直前としたが、これに限られない。本実施形態においては、例えば、直前の点灯モードを実行している間中、常に第３情報を記憶部４４に記憶してもよい。
【０１９１】
また、本実施形態においては、複数の第３情報を用いて高電力モードの第１実行情報が設定されてもよい。具体的には、例えば、直前の点灯モード時の駆動電力Ｗと、直前の点灯モードの実行時間とを用いて、高電力モード抑制時間が設定されてもよい。
【０１９２】
（第５実施形態）
第５実施形態は、第３実施形態に対して、高電力モードの第１実行情報として駆動パラメーターを設定する点において異なる。
なお、以下の説明においては、上記実施形態と同様の構成については、適宜同一の符号を付す等により、説明を省略する場合がある。
【０１９３】
本実施形態においては、上記説明した第２実施形態から第４実施形態までと異なり、第１情報の内容に関わらず、立上期間ＰＨ１において高電力モードが実行される。
【０１９４】
図１３は、本実施形態における制御部４０の放電灯駆動部２３０の制御手順について示すフローチャートである。
図１３に示すように、制御部４０は、放電灯９０が点灯開始され（ステップＳ４０）、第２実施形態と同様に、記憶部４４に前回の高電力モードに関する第１情報が記憶されているかどうかを判定する（ステップＳ４１）。記憶部４４に第１情報が記憶されている場合（ステップＳ４１：ＹＥＳ）には、制御部４０は、次にランプ点灯開始から所定時間が経過したかどうかを判定する（ステップＳ４２）。
【０１９５】
なお、記憶部４４に第１情報が記憶されていない場合（ステップＳ４１：ＮＯ）には、制御部４０は、高電力モードの駆動パラメーターを初期パラメーターに設定し（ステップＳ４７）、高電力モードを実行する（ステップＳ４６）。
【０１９６】
制御部４０は、ランプ点灯開始から所定時間が経過した場合（ステップＳ４２：ＹＥＳ）、時刻Ｔａにおいてランプ電圧（第２情報）を検出し（ステップＳ４３）、例えば、［表５］に一例として示した換算テーブルを用いて定常点灯期間ＰＨ２におけるランプ電圧（第２情報）を推定する（ステップＳ４４）。
【０１９７】
次に、前回の高電力モードの第１情報と、推定された定常点灯期間ＰＨ２のランプ電圧とに基づいて高電力モードの第１実行情報を設定する（ステップＳ４５）。本実施形態において、第１情報は、例えば、前回の高電力モード実行後の放電灯９０の点灯時間である。
【０１９８】
また、高電力モードの第１実行情報は、例えば、高電力モードにおけるリフレッシュ電力Ｗｒ（駆動パラメーター）である。リフレッシュ電力Ｗｒの設定は、例えば、前回の高電力モード実行後の点灯時間と、推定された定常点灯期間ＰＨ２のランプ電圧と、設定する高電力モードのリフレッシュ電力Ｗｒと、の関係を示すルックアップテーブルを用いて行われる。本実施形態における具体的なルックアップテーブルの一例を［表７］に示す。
【０１９９】
【表７】
2015187966.tif 000009
【０２００】
［表７］に示すように、ランプ電圧の値が大きいほど（すなわち、放電灯９０の劣化度合いが大きくなるにしたがって）、また、前回の高電力モード実行後の点灯時間が長いほど、設定される高電力モードのリフレッシュ電力Ｗｒは大きく設定される。
ランプ電圧の値が大きいと、電極間に流れる駆動電流Ｉが小さくなるため、第１電極９２の突起５５２ｐが溶融しにくい。これにより、前回の高電力モードにおける突起５５２ｐの溶融の度合いは小さくなる。したがって、高電力モードの駆動電力を大きく設定することにより、突起５５２ｐを適切に溶融させることができる。
【０２０１】
一方、前回の高電力モード実行後の点灯時間が長いほど、第１電極９２の突起５５２ｐは成長する。そのため、高電力モードにおける駆動電力を大きく設定しても、突起５５２ｐが過度に溶融することを抑制できる。
【０２０２】
制御部４０は、上記のようにして高電力モードのリフレッシュ電力Ｗｒを設定し、高電力モードを実行する（ステップＳ４６）。その後、制御部４０は、点灯期間を定常点灯期間ＰＨ２に移行させる（ステップＳ４８）。
【０２０３】
本実施形態によれば、前回の高電力モードにおける第１情報と、第２情報とに基づいて、高電力モードの駆動パラメーターが設定される。そのため、高電力モードを実行する際の第１電極９２の突起５５２ｐの成長度合いに応じて、実行する高電力モードにおける突起５５２ｐの溶融効果を調整できる。したがって、本実施形態によれば、突起５５２ｐが過度に溶融することを抑制でき、放電灯９０の電極間距離が広がることを抑制できる。
【０２０４】
なお、本実施形態においては、以下の構成を採用することもできる。
【０２０５】
本実施形態においては、第１情報および第２情報のうちから選択した情報を３つ以上用いて高電力モードの第１実行情報が設定されてもよい。具体的には、例えば、前回の高電力モード時におけるリフレッシュ電力Ｗｒと、設定タイミングにおけるランプ電圧および累積点灯時間とに基づいて高電力モードの駆動パラメーター、例えば、リフレッシュ電力Ｗｒが設定されてもよい。
【０２０６】
また、本実施形態においては、高電力モードの駆動パラメーターとして、リフレッシュ電力Ｗｒ以外の値、例えば、駆動電流波形や、高電力モードの実行時間を設定してもよい。以下、それぞれについて説明する。
【０２０７】
まず、駆動パラメーターとして駆動電流波形を用いる場合について説明する。
図１４は、高電力モードにおける駆動電流波形の一例を示す図である。縦軸は、駆動電流Ｉを示しており、横軸は時間Ｔを示している。
図１４に示すように、本実施形態の駆動電流波形は、サイクルＣ１とサイクルＣ２とが交互に設けられている。
【０２０８】
サイクルＣ１は、複数の混合期間Ｐ１で構成され、混合期間Ｐ１は、交流期間Ｐ１ａと直流期間Ｐ１ｂとで構成されている。
交流期間Ｐ１ａは、駆動電流Ｉとして、電流値Ｉｍ１と電流値−Ｉｍ１との間で極性が反転される交流電流が放電灯９０に供給される期間である。本実施形態においては、交流期間Ｐ１ａにおける交流電流は、矩形波交流電流である。直流期間Ｐ１ｂは、駆動電流Ｉとして、電流値Ｉｍ１の直流電流が放電灯９０に供給される期間である。本実施形態においては、直流期間Ｐ１ｂにおける直流電流は、電流値が一定（Ｉｍ１）の第１極性を有する直流電流である。
【０２０９】
サイクルＣ２は、複数の混合期間Ｐ２で構成され、混合期間Ｐ２は、交流期間Ｐ２ａと直流期間Ｐ２ｂとで構成されている。
交流期間Ｐ２ａは、サイクルＣ１の交流期間Ｐ１ａと同様である。直流期間Ｐ２ｂは、駆動電流Ｉとして、電流値−Ｉｍ１の直流電流が放電灯９０に供給される期間である。本実施形態においては、直流期間Ｐ２ｂにおける直流電流は、電流値が一定（−Ｉｍ１）の第２極性を有する直流電流である。
【０２１０】
高電力モードにおける駆動電流波形を設定するために用いられるルックアップテーブルの一例を［表８］に示す。
【０２１１】
【表８】
2015187966.tif 000010
【０２１２】
［表８］に示すように、前回の高電力モード実行後の点灯時間と、推定された定常点灯期間ＰＨ２のランプ電圧とに応じて、高電力モードにおける駆動電流波形が、波形Ａ、波形Ｂおよび波形Ｃのいずれかに設定される。波形Ａ〜波形Ｃのそれぞれの各パラメーターについて［表９］に示す。
【０２１３】
【表９】
2015187966.tif 000011
【０２１４】
［表９］に示すように、波形Ａから波形Ｃの交流期間Ｐ１ａ，Ｐ２ａの周波数は、いずれも５００Ｈｚである。
波形Ａにおける交流期間Ｐ１ａ，Ｐ２ａの長さｔ１，ｔ３は、それぞれ１５周期分である。波形Ａにおける直流期間Ｐ１ｂ，Ｐ２ｂの長さｔ２，ｔ４は、それぞれ２ｍｓ（ミリ秒）である。波形ＡにおけるサイクルＣ１，Ｃ２に含まれる混合期間Ｐ１，Ｐ２の数は、１である。
【０２１５】
波形Ｂにおける交流期間Ｐ１ａ，Ｐ２ａの長さｔ１，ｔ３は、それぞれ１０周期分である。波形Ｂにおける直流期間Ｐ１ｂ，Ｐ２ｂの長さｔ２，ｔ４は、それぞれ６ｍｓである。波形ＢにおけるサイクルＣ１，Ｃ２に含まれる混合期間Ｐ１，Ｐ２の数は、２である。
【０２１６】
波形Ｃにおける交流期間Ｐ１ａ，Ｐ２ａの長さｔ１，ｔ３は、それぞれ５周期分である。波形Ｃにおける直流期間Ｐ１ｂ，Ｐ２ｂの長さｔ２，ｔ４は、それぞれ８ｍｓである。波形ＣにおけるサイクルＣ１，Ｃ２に含まれる混合期間Ｐ１，Ｐ２の数は、１０である。
【０２１７】
波形Ａ、波形Ｂ、および波形Ｃは、この順に、第１電極９２の突起５５２ｐを溶融させる効果が大きくなる。すなわち、交流期間Ｐ１ａ，Ｐ２ａの長さｔ１，ｔ３が小さくなるほど、突起５５２ｐを溶融させる効果は大きくなる。また、直流期間Ｐ１ｂ，Ｐ２ｂの長さｔ２，ｔ４が大きくなるほど、突起５５２ｐを溶融させる効果は大きくなる。また、サイクルＣ１，Ｃ２に含まれる混合期間Ｐ１，Ｐ２の数が大きくなるほど、突起５５２ｐを溶融させる効果は大きくなる。
【０２１８】
なお、［表９］に示した例では、交流期間Ｐ１ａ，Ｐ２ａの周波数は、各駆動電流波形で同じ値に設定したが、それぞれ異なっていてもよい。交流期間Ｐ１ａ，Ｐ２ａの周波数が小さくなるほど、突起５５２ｐの溶融効果が大きくなる。
【０２１９】
次に、駆動パラメーターとして実行時間を用いる場合について説明する。
図１５は、高電力モードの駆動パラメーターとして高電力モードの実行時間ｔｒ１（図９参照）を設定した場合における制御部４０の放電灯駆動部２３０の制御手順について示すフローチャートである。
図１５に示すステップＳ５０からステップＳ５４は、図１３に示したステップＳ４０からステップＳ４４と同様である。
【０２２０】
制御部４０は、定常点灯期間ＰＨ２のランプ電圧を推定した（ステップＳ５４）後、前回の高電力モード実行後の点灯時間と、推定された定常点灯期間ＰＨ２のランプ電圧とに基づいて、高電力モードの実行時間ｔｒ１を設定する（ステップＳ５５）。高電力モードの実行時間ｔｒ１を設定するために用いられるルックアップテーブルの一例を［表１０］に示す。
【０２２１】
【表１０】
2015187966.tif 000012
【０２２２】
［表１０］に示すように、ランプ電圧が大きいほど、すなわち、放電灯９０の劣化度合いが大きくなるにしたがって、また、前回の高電力モード実行後の点灯時間が長いほど、設定される高電力モードの実行時間は大きく設定される。高電力モードの実行時間が長いほど、第１電極９２の溶融効果は大きくなる。
【０２２３】
制御部４０は、高電力モードの実行時間ｔｒ１を設定した後、高電力モードを実行する（ステップＳ５６）。そして、制御部４０は、高電力モードが実行されてから設定された実行時間ｔｒ１が経過したかどうかを判定し（ステップＳ５８）、設定された実行時間ｔｒ１が経過した場合（ステップＳ５８：ＹＥＳ）には、点灯期間を定常点灯期間ＰＨ２へと移行させる（ステップＳ５９）。実行時間ｔｒ１が経過していない場合（ステップＳ５８：ＮＯ）には、制御部４０は、実行時間ｔｒ１が経過するまで高電力モードを実行し続ける。
【０２２４】
なお、記憶部４４に前回の高電力モードに関する第１情報が記憶されていない場合（ステップＳ５１：ＮＯ）には、制御部４０は、高電力モードの実行時間ｔｒ１を初期値に設定し（ステップＳ５７）、高電力モードを実行する（ステップＳ５６）。実行時間ｔｒ１の初期値は、例えば、予め記憶部４４に記憶されている。
【０２２５】
（第６実施形態）
第６実施形態は、上記説明した第２実施形態から第５実施形態に対して、定常点灯期間ＰＨ２において、高電力モードが実行される点において異なる。
なお、以下の説明においては、上記実施形態と同様の構成については、適宜同一の符号を付す等により、説明を省略する場合がある。
【０２２６】
図１６は、本実施形態の駆動電力の波形を示す図である。図１６において、縦軸は、駆動電力Ｗを示しており、横軸は時間Ｔを示している。図１６は、立上期間ＰＨ１が終了し、定常点灯モードが実行される定常点灯期間ＰＨ２になった後の駆動電力Ｗの波形を示している。
【０２２７】
本実施形態においては、定常点灯期間ＰＨ２において高電力モードが実行される高電力点灯期間ＰＨ３が設けられる。図１６においては、時刻Ｔｅから時刻Ｔｆまでの間に高電力点灯期間ＰＨ３が設けられる例を示している。
【０２２８】
図１７は、本実施形態における制御部４０の放電灯駆動部２３０の制御手順について示すフローチャートである。
図１７に示すように、制御部４０は、まず定常点灯期間ＰＨ２（ステップＳ６０）において、記憶部４４に前回の高電力モードに関する第１情報が記憶されているかどうかを判定する（ステップＳ６１）。制御部４０は、記憶部４４に第１情報が記憶されている場合（ステップＳ６１：ＹＥＳ）には、現在の点灯状態、すなわち、定常点灯期間ＰＨ２における点灯状態に関する第２情報を測定し（ステップＳ６２）、その測定結果に基づいて、例えば、高電力モードの第１実行情報として高電力モード抑制時間を設定する（ステップＳ６３）。
【０２２９】
その後、制御部４０は、第２実施形態と同様にして、高電力モード抑制時間が経過したかどうかを判定し（ステップＳ６４）、高電力モード抑制時間が経過している場合（ステップＳ６４：ＹＥＳ）には、高電力モードを実行する（ステップＳ６５）。すなわち、制御部４０は、点灯期間を定常点灯期間ＰＨ２から高電力点灯期間ＰＨ３に移行させる。
【０２３０】
ここで、第２実施形態から第５実施形態までにおいては、高電力モードが立上期間ＰＨ１に設けられていたため、高電力モードを実行することが決定された場合であっても、高電力モードは、すぐには実行されず、駆動電力Ｗがリフレッシュ電力Ｗｒまで上昇した後に実行されていた。
【０２３１】
これに対して、本実施形態では、高電力モードが、定常点灯モードが実行される定常点灯期間ＰＨ２に設けられているため、高電力モードの実行が決定された場合には、すぐに高電力モードを実行することができる。本実施形態において高電力モードは、実行が決定された後、すぐに実行されてもよいし、所定の間隔を空けて実行されてもよい。
【０２３２】
制御部４０は、実行時間ｔｒ２だけ高電力モードを実行した後、点灯期間を定常点灯期間ＰＨ２に再び移行させる（ステップＳ６６）。制御部４０は、高電力モード抑制時間が経過していない場合（ステップＳ６４：ＮＯ）には、高電力モードを実行せずに、そのまま定常点灯期間ＰＨ２を維持する（ステップＳ６７）。
【０２３３】
本実施形態においては、ステップＳ６１からステップＳ６４までが設定タイミングに相当する。本実施形態においては、定常点灯モードが実行される定常点灯期間ＰＨ２において高電力モードが実行されるため、設定タイミングは定常点灯期間ＰＨ２に設けられる。
本実施形態における設定タイミングは、例えば、所定の点灯時間が経過する度に設けられてもよいし、定常点灯期間ＰＨ２中、常に設けられていてもよい。
【０２３４】
設定タイミングが所定の点灯時間が経過する度に設けられる場合には、放電灯９０の点灯状態が変化する傾向に応じて、設定タイミングを設ける位置を調整してもよい。
設定タイミングを定常点灯期間ＰＨ２中、常に設ける場合には、定常点灯期間ＰＨ２における放電灯９０の点灯状態に関する第２情報を常に取得し、第２情報と、前回の高電力モードに関する第１情報とに基づいて適宜高電力モードを実行する。
【０２３５】
本実施形態によれば、定常点灯期間ＰＨ２において高電力モードが実行されるため、設定タイミングが定常点灯期間ＰＨ２に設けられる。これにより、設定タイミングにおける放電灯９０の点灯状態に関する第２情報として、定常点灯期間ＰＨ２における点灯情報を取得することが容易である。したがって、本実施形態によれば、放電灯９０の点灯状態や、劣化の度合いを正確に把握しやすく、より適切に高電力モードの第１実行情報を設定できる。
【０２３６】
なお、本実施形態においては、以下の構成を採用することもできる。
【０２３７】
本実施形態においては、高電力モードが実行される高電力点灯期間ＰＨ３において、放電灯９０から射出される光を調光してもよい。これにより、定常点灯期間ＰＨ２と高電力点灯期間ＰＨ３とにおけるプロジェクター５００から投射される画像光の強度変化を抑制でき、ちらつきが生じることを抑制できる。
【０２３８】
また、上記説明した実施形態においては、高電力モードの第１実行情報として、高電力モード抑制時間、および高電力モードの実行の有無について設定したが、これに限られない。本実施形態においては、上述した第２実施形態から第５実施形態における第１実行情報のいずれを設定してもよい。
【０２３９】
また、上記説明した実施形態においては、前回の高電力モードの第１情報として前回の高電力モードが終了した後の点灯時間を用いたが、これに限られない。本実施形態においては、上述した第２実施形態から第５実施形態における第１情報のいずれを設定してもよい。
【０２４０】
また、本実施形態においては、制御部４０は、第２情報を用いずに、第１情報のみに基づいて高電力モードの第１実行情報を設定してもよい。
【０２４１】
なお、上記説明した第２実施形態から第６実施形態までにおいては、第１実行情報として、高電力モードの実行の有無（高電力モード抑制時間）と、高電力モードの駆動パラメーターとのうちのいずれか一方を選択した場合について示したが、これに限られない。本発明の一つの態様としては、高電力モードの第１実行情報として、高電力モードの実行の有無と高電力モードの駆動パラメーターとの両方を用いてもよい。この場合には、制御部４０は、例えば、各種情報に基づいて高電力モードの実行の有無を決定し、高電力モードが実行される場合に、高電力モードにおける駆動パラメーターを設定する。
【０２４２】
（第７実施形態）
第７実施形態は、上記説明した第１実施形態に対して、突起形成期間ＰＨ４が設けられ点において異なる。
なお、以下の説明においては、上記実施形態と同様の構成については、適宜同一の符号を付す等により、説明を省略する場合がある。
【０２４３】
本実施形態においては、制御部４０は、定常点灯モードと、高電力モードと、第１電極９２の突起５５２ｐの成長を促進する突起形成モード（突起形成駆動）と、を実行可能である。
【０２４４】
なお、本明細書において「突起形成モード」とは、高電力モードおよび定常点灯モードよりも突起５５２ｐの成長が促進される駆動が実行される点灯モードを意味する。
本実施形態においては、突起形成モードにおいて放電灯９０に供給される交流電流の周波数を、突起５５２ｐの成長を促進する周波数に設定し、その交流電流が放電灯９０に供給される期間の割合を大きくすることによって、突起形成モードにおいて突起５５２ｐの成長を促進させている。
【０２４５】
本実施形態において記憶部４４には、高電力モードに関する第１情報に応じた突起形成モードの第２実行情報、および高電力モードに関する第１情報から突起形成モードの第２実行情報を得るためのルックアップテーブルや演算式等が格納されている。
【０２４６】
突起形成モードの第２実行情報は、突起形成モードを実行するために必要なあらゆる情報を含む。第２実行情報としては、例えば、突起形成モードにおける、駆動電流Ｉの波形、駆動電流の周波数、駆動電力、実行時間等が挙げられる。
なお、本明細書において、第２実行情報とは、突起形成モードの実行情報である。
【０２４７】
本実施形態においてシステムコントローラー４１（制御部４０）は、記憶部４４に格納された高電力モードに関する第１情報に応じて、突起形成モードの第２実行情報を設定し、駆動電流Ｉを制御する。
【０２４８】
次に、本実施形態における放電灯９０へ供給される駆動電力の制御について説明する。
図１８は、本実施形態の駆動電力の波形を示す図である。図１８において、縦軸は、駆動電力Ｗを示しており、横軸は時間Ｔを示している。図１８では、放電灯９０を点灯させた時点から定常点灯状態になるまでの駆動電力Ｗの変化を示している。
【０２４９】
図１８に示すように、本実施形態においては、立上期間ＰＨ１と定常点灯期間ＰＨ２との間に、突起形成期間ＰＨ４が設けられている。
突起形成期間ＰＨ４は、突起形成モードが実行される期間である。本実施形態の突起形成期間ＰＨ４において、駆動電力Ｗは、リフレッシュ電力Ｗｒより小さく、定常点灯電力Ｗｓよりも大きい突起形成電力（第３駆動電力）Ｗｍである。本実施形態においては、突起形成期間ＰＨ４における駆動電力Ｗの値は一定（Ｗｍ）である。
【０２５０】
本実施形態においては、突起形成期間ＰＨ４の長さ、すなわち、突起形成モードの実行時間ｔｃ１は、高電力モードに関する第１情報に応じて決定される。詳細については、後述する。
【０２５１】
定常点灯期間ＰＨ２は、放電灯９０に定常点灯電力（第１駆動電力）Ｗｓが供給される定常点灯モードが実行される期間である。定常点灯電力Ｗｓは、第２立上期間ＰＨ１２におけるリフレッシュ電力Ｗｒよりも小さい。
【０２５２】
リフレッシュ電力Ｗｒ、すなわち、高電力モードの駆動電力Ｗは、例えば、２００Ｗであり、定常点灯電力Ｗｓは、例えば、１４０Ｗである。
また、リフレッシュ電力Ｗｒは、第２実施形態と同様に、動作検出部６０により検出される放電灯９０のランプ電圧の値に応じて設定されてもよい。具体的には、例えば、第２実施形態において示した［表３］のように設定できる。
【０２５３】
本実施形態においては、高電力モードと、突起形成モードと、定常点灯モードとは、この順で実行される。すなわち、本実施形態においては、突起形成モード（突起形成期間ＰＨ４）は、高電力モード（第２立上期間ＰＨ１２）を実行した後で、かつ、定常点灯モード（定常点灯期間ＰＨ２）を実行する前に実行される。
【０２５４】
次に、上述した本実施形態の各期間、すなわち、立上期間ＰＨ１、突起形成期間ＰＨ４、および定常点灯期間ＰＨ２において放電灯９０へ供給される駆動電流Ｉの制御について説明する。
本実施形態の各期間における駆動電流Ｉの波形は、第５実施形態において図１４に示した駆動電流Ｉの波形と同様にできる。
【０２５５】
本実施形態において、図１４に示す交流期間Ｐ１ａにおける駆動電流Ｉの周波数は、突起５５２ｐが成長しやすい周波数に設定される。突起５５２ｐの形成が促進されるのに好ましい周波数としては、例えば、１００Ｈｚ以上、１０００Ｈｚ以下である。
【０２５６】
本実施形態においては、図１８に示す突起形成期間ＰＨ４に対する交流期間Ｐ１ａ，Ｐ２ａの割合は、第２立上期間ＰＨ１２に対する交流期間Ｐ１ａ，Ｐ２ａの割合よりも大きく設定される。言い換えると、突起形成モードの実行時間ｔｃ１に対して交流電流が供給される時間の割合は、高電力モードの実行時間ｔｒ１に対して交流電流が供給される時間の割合よりも大きい。
【０２５７】
また、本実施形態においては、突起形成期間ＰＨ４に対する交流期間Ｐ１ａ，Ｐ２ａの割合は、定常点灯期間ＰＨ２に対する交流期間Ｐ１ａ，Ｐ２ａの割合よりも大きく設定される。言い換えると、突起形成モードの実行時間ｔｃ１に対して交流電流が供給される時間の割合は、定常点灯モードの実行時間に対して交流電流が供給される時間の割合よりも大きい。
【０２５８】
図１４に示す交流期間Ｐ１ａ，Ｐ２ａの長さｔ１，ｔ３と直流期間Ｐ１ｂ，Ｐ２ｂの長さｔ２，ｔ４とは、それぞれ、混合期間Ｐ１，Ｐ２に対する上記の交流期間Ｐ１ａ，Ｐ２ａの割合に応じて設定される。
【０２５９】
次に、本実施形態の制御部４０による放電灯駆動部２３０の制御について説明する。
図１９は、本実施形態の制御部４０による放電灯駆動部２３０の制御手順の一例を示すフローチャートである。
【０２６０】
図１９に示すように、放電灯９０が点灯開始され（ステップＳ７０）、第１立上期間ＰＨ１１において制御部４０は、記憶部４４に格納された高電力モードに関する第１情報を参照し、それに基づいて突起形成期間ＰＨ４（突起形成モード）の第２実行情報を設定する（ステップＳ７１）。
【０２６１】
本実施形態においては、高電力モードの第１情報として、例えば、リフレッシュ電力Ｗｒと、駆動リフレッシュ効果と、を用いる。
本実施形態においては、突起形成モードの第２実行情報として、実行時間ｔｃ１を設定する。
【０２６２】
ここで、「駆動リフレッシュ効果」とは、高電力モードの駆動によって第１電極９２の突起５５２ｐに加えられる熱負荷の大きさを示している。例えば、高電力モード時に放電灯９０に供給される駆動電流Ｉの波形を調整することにより、駆動リフレッシュ効果の大きさを調整することができる。駆動リフレッシュ効果が大きいほど、高電力モードが実行される第２立上期間ＰＨ１２において突起５５２ｐは溶融されやすい。
【０２６３】
駆動リフレッシュ効果は、高電力モードにおける、少なくとも実行時間ｔｒ１と駆動電流波形とによる熱負荷によって決定される。実行時間ｔｒ１が長いほど、突起５５２ｐに加えられる熱負荷は大きくなる。また、例えば、図１４で示した駆動電流波形では、高電力モードの実行時間ｔｒ１に対する直流期間Ｐ１ｂ，Ｐ２ｂの割合が大きいほど、突起５５２ｐに加えられる熱負荷は大きくなる。実行時間ｔｒ１による熱負荷と駆動電流波形による熱負荷とを合わせた熱負荷が大きいほど、駆動リフレッシュ効果は大きくなる。
【０２６４】
駆動リフレッシュ効果の大きさは、例えば、所定のリフレッシュ電力Ｗｒに設定された高電力モードによって溶融した突起５５２ｐが、定常点灯モードが実行された際に、溶融する前と同程度に成長するまでに要する成長時間を指標とすることができる。なお、以下の説明においては、この成長時間を、単に突起５５２ｐの成長時間と称する場合がある。
【０２６５】
制御部４０は、高電力モードの第１情報であるリフレッシュ電力Ｗｒおよび駆動リフレッシュ効果に基づいて、突起形成モードの実行時間ｔｃ１を設定する。本実施形態において実行時間ｔｃ１の設定は、例えば、リフレッシュ電力Ｗｒと、駆動リフレッシュ効果との関係を示すルックアップテーブルを用いて行われる。本実施形態における具体的なルックアップテーブルの一例を［表１１］に示す。なお、この場合における定常点灯モードの定常点灯電力Ｗｓは、例えば、１４０Ｗである。
【０２６６】
【表１１】
2015187966.tif 000013
【０２６７】
［表１１］において、駆動リフレッシュ効果の程度を示す大、中、小は、指標として、例えば、上述した突起５５２ｐの成長時間を用いた場合である。すなわち、駆動リフレッシュ効果が大とは、成長時間が長い場合であり、駆動リフレッシュ効果が小とは、成長時間が短い場合である。駆動リフレッシュ効果が中とは、その中間である。
【０２６８】
［表１１］に示すように、駆動リフレッシュ効果が大きいほど、また、リフレッシュ電力Ｗｒが大きいほど、突起形成モードの実行時間ｔｃ１は、長く設定される。これは、駆動リフレッシュ効果およびリフレッシュ電力Ｗｒが大きいほど突起５５２ｐが溶融されており、より突起５５２ｐを成長させる必要があるためである。
例えば、［表１１］のように突起形成モードの実行時間ｔｃ１が設定されることにより、突起形成期間ＰＨ４において突起５５２ｐを十分に成長させることができる。
【０２６９】
次に、図１９に示すように、制御部４０は、記憶部４４に格納された高電力モードの第１情報に基づいて、高電力モードを実行し（ステップＳ７２）、その後点灯期間を突起形成期間ＰＨ４へと移行させる（ステップＳ７３）。
突起形成期間ＰＨ４においては、上記設定された第２実行情報に基づいて突起形成モードが実行される。制御部４０は、実行時間ｔｃ１が経過した時点で、点灯期間を定常点灯期間ＰＨ２へと移行させる（ステップＳ７４）。
【０２７０】
以上のようにして、制御部４０は放電灯駆動部２３０を制御する。
【０２７１】
上記の制御部４０による放電灯駆動部２３０の制御は、放電灯駆動方法として表現することもできる。すなわち、本実施形態の放電灯駆動方法は、放電灯９０に定常点灯電力Ｗｓを供給する定常点灯モードと、放電灯９０に定常点灯電力Ｗｓよりも大きいリフレッシュ電力Ｗｒを供給する高電力モードと、第１電極９２の先端に形成される突起５５２ｐの成長を促進する突起形成モードと、を含み、高電力モードを実行した後で、かつ、定常点灯モードを実行する前に、突起形成モードを実行することを特徴とする。
【０２７２】
本実施形態によれば、突起形成期間ＰＨ４が設けられ、突起形成モードが実行されるため、突起５５２ｐが扁平化した状態で定常点灯モードが実行されることを抑制でき、その結果、放電灯９０のちらつきが生じることを抑制できる。以下、詳細に説明する。
【０２７３】
図２０（Ａ）〜（Ｃ）は、第１電極９２の突起５５２ｐの溶融状態を示す図である。図２０（Ａ）は、突起５５２ｐが溶融される前の状態を示す図である。図２０（Ｂ）は、突起５５２ｐが高電力モードで溶融された状態を示す図である。図２０（Ｃ）は、溶融された突起５５２ｐが突起形成モードで成長した状態を示す図である。図２０（Ｂ）において破線で示しているのは、図２０（Ａ）における突起５５２ｐの形状である。図２０（Ｃ）において破線で示しているのは、図２０（Ｂ）における突起５５２ｐの形状である。
【０２７４】
図２０（Ａ）に示すように、溶融される前の突起５５２ｐの形状は、先端が尖っている。この場合においては、放電の輝点の位置が突起５５２ｐの先端で安定する。
一方、図２０（Ｂ）に示すように、高電力モードによって突起５５２ｐが溶融されると、突起５５２ｐは扁平化し、突起５５２ｐの先端の形状が平らな状態となる。この場合においては、放電の輝点の位置が突起５５２ｐの先端において定まりにくい。
【０２７５】
突起５５２ｐが扁平化した状態であっても、高電力モードが実行されている期間、すなわち、第２立上期間ＰＨ１２においては、第１電極９２の温度が高いため、放電の輝点の位置は安定しやすい。
しかし、突起５５２ｐが扁平化した状態のまま、定常点灯モードが実行されると、第１電極９２の温度が低下し、放電の輝点の位置は不安定となり、放電灯９０のちらつきを生じる場合があった。
【０２７６】
この問題に対して、本実施形態によれば、高電力モードが実行された後で、かつ、定常点灯モードが実行される前に、突起５５２ｐの成長を促す突起形成モードが実行される。そのため、図２０（Ｃ）に示すように、高電力モードにおいて溶融された突起５５２ｐは、突起形成モードによって成長し、突起５５２ｐの形状は、先端が尖った形状となる。これにより、突起５５２ｐが扁平化された状態で定常点灯モードが実行されることが抑制され、放電灯９０のちらつきが生じることを抑制できる。
【０２７７】
また、本実施形態によれば、突起形成期間ＰＨ４に対して、例えば、周波数が１００Ｈｚ以上、１０００Ｈｚ以下の交流期間Ｐ１ａ，Ｐ２ａの割合が大きく設定されるため、突起形成期間ＰＨ４において突起５５２ｐの成長を促進することができる。
【０２７８】
また、突起５５２ｐの形成が促進される駆動が実行され続けると、突起５５２ｐは次第に細くなり、電極間距離が大きくなるという問題がある。
これに対して、本実施形態によれば、突起形成期間ＰＨ４に対する交流期間Ｐ１ａ，Ｐ２ａの割合が、第２立上期間ＰＨ１２に対する交流期間Ｐ１ａ，Ｐ２ａの割合、および定常点灯期間ＰＨ２に対する交流期間Ｐ１ａ，Ｐ２ａの割合よりも大きく設定されている。そのため、第２立上期間ＰＨ１２および定常点灯期間ＰＨ２における突起５５２ｐの成長度合を、突起形成期間ＰＨ４における突起５５２ｐの成長度合に比べて小さくできる。したがって、本実施形態によれば、突起５５２ｐが細くなり、電極間距離が大きくなることを抑制できる。
【０２７９】
また、本実施形態によれば、突起形成期間ＰＨ４（突起形成モード）における突起形成電力Ｗｍが、第２立上期間ＰＨ１２（高電力モード）におけるリフレッシュ電力Ｗｒと、定常点灯期間ＰＨ２（定常点灯モード）における定常点灯電力Ｗｓとの間となるように設定される。そのため、第２立上期間ＰＨ１２、突起形成期間ＰＨ４、定常点灯期間ＰＨ２の順で、段階的に駆動電力Ｗが小さくなる。その結果、駆動電力Ｗが急激に変化することが抑制され、放電灯９０の第１電極９２にかかる負荷を軽減できる。
【０２８０】
なお、本実施形態においては、以下の構成を採用することもできる。
【０２８１】
本実施形態においては、突起形成モードの第２実行情報として、駆動電流波形を設定してもよい。具体的には、突起形成モードの第２実行情報として、例えば、突起形成期間ＰＨ４に対する交流期間Ｐ１ａ，Ｐ２ａの割合を設定してもよい。本実施形態における具体的なルックアップテーブルの一例を［表１２］に示す。
【０２８２】
【表１２】
2015187966.tif 000014
【０２８３】
［表１２］においては、［表１１］と同様に駆動リフレッシュ効果を大、中、小の３段階で示している。
［表１２］に示すように、駆動リフレッシュ効果が大きいほど、また、リフレッシュ電力Ｗｒが大きいほど、突起形成期間ＰＨ４に対する交流期間Ｐ１ａ，Ｐ２ａの割合は大きく設定される。これにより、突起形成期間ＰＨ４において突起５５２ｐを十分に成長させることができる。ここで、交流期間Ｐ１ａ，Ｐ２ａの割合が１００％であることは、すなわち、直流期間Ｐ１ｂ，Ｐ２ｂが設けられないことを意味する。
【０２８４】
また、上記説明においては、突起形成電力Ｗｍをリフレッシュ電力Ｗｒと定常点灯電力Ｗｓとの間となるように設定したが、これに限られない。本実施形態においては、突起形成電力Ｗｍは、リフレッシュ電力Ｗｒと同じであってもよいし、定常点灯電力Ｗｓと同じであってもよい。突起形成電力Ｗｍを大きく設定するほど、突起５５２ｐの成長をより促進できる。
【０２８５】
また、本実施形態においては、突起形成モードを実行する際に駆動電力Ｗを変化させてもよい。
図２１は、本実施形態における駆動電力波形の他の一例を示す図である。図２１において、縦軸は、駆動電力Ｗを示しており、横軸は時間Ｔを示している。図２１では、図１８と同様に、放電灯９０を点灯させた時点から定常点灯状態になるまでの駆動電力Ｗの変化を示している。
【０２８６】
図２１に示すように、突起形成期間ＰＨ５において、駆動電力Ｗは、リフレッシュ電力Ｗｒから定常点灯電力Ｗｓに向かって連続的に変化している。図２１に示す例では、突起形成期間ＰＨ５における駆動電力Ｗは、線形に変化している。
突起形成期間ＰＨ５の長さ、すなわち、突起形成モードの実行時間ｔｃ２は、突起形成期間ＰＨ４と同様に設定される。
【０２８７】
この構成によれば、突起形成期間ＰＨ５において、駆動電力Ｗはリフレッシュ電力Ｗｒから定常点灯電力Ｗｓに向かって徐々に低下するため、駆動電力Ｗが急激に変化することが抑制され、放電灯９０の第１電極９２にかかる負荷をより軽減できる。また、駆動電力Ｗの低下に伴い、放電灯９０から射出される光の強度も徐々に低下するため、定常点灯モードに切り替わる際に、放電灯９０のちらつきが生じることを抑制できる。
【０２８８】
なお、突起形成期間ＰＨ５における駆動電力Ｗは、線形に変化する場合に限られず、連続的に変化する範囲内において、どのように変化してもよい。本実施形態においては、例えば、突起形成期間ＰＨ５における駆動電力Ｗは、曲線的に変化してもよい。
【０２８９】
また、本実施形態において、突起形成期間ＰＨ５における駆動電力Ｗは、突起形成期間ＰＨ５の全体に亘って連続的に変化する場合に限られず、突起形成期間ＰＨ５の一部の期間において定常点灯電力Ｗｓに向かって連続的に変化してもよい。例えば、突起形成期間ＰＨ５における駆動電力Ｗは、突起形成期間ＰＨ５の一部の期間において定常点灯電力Ｗｓに向かって連続的に変化し、他の期間においては保持されるとしてもよい。
【０２９０】
また、本実施形態においては、制御部４０は、突起形成期間ＰＨ４において放電灯９０に供給される駆動電力Ｗを一定とするか変化させるかどうかについて、例えば、高電力モードのリフレッシュ電力Ｗｒ等の第１情報に基づいて決定してもよい。
【０２９１】
また、本実施形態においては、高電力モードおよび定常点灯モードにおける駆動電流Ｉに含まれる交流電流の周波数は、１００Ｈｚより小さく、１０００Ｈｚよりも大きい周波数に設定されてもよい。すなわち、本実施形態においては、高電力モードおよび定常点灯モードにおける駆動電流Ｉに含まれる交流電流の周波数は、突起５５２ｐの成長を促進する周波数に設定されなくてもよい。
【０２９２】
また、本実施形態においては、交流期間Ｐ１ａ，Ｐ２ａにおける周波数は混合期間Ｐ１，Ｐ２毎に変化してもよい。
【０２９３】
また、上記説明においては、突起形成モードにおいて突起５５２ｐの成長を促進するために、突起形成期間ＰＨ４に対して、例えば、１００Ｈｚ以上、１０００Ｈｚ以下の交流電流を放電灯９０に供給する時間の割合を大きくしたが、これに限られない。本実施形態においては、突起形成モードにおける突起５５２ｐの成長度合を、高電力モードおよび定常点灯モードにおける突起５５２ｐの成長度合に対して大きくできる範囲内において、突起形成モードは、特に限定されない。本実施形態においては、例えば、突起形成モードを、高電力モードおよび定常点灯モードに対して、放電灯９０に供給される駆動電流Ｉを大きくする駆動としてもよい。
【０２９４】
また、上記説明においては、突起形成モードの第２実行情報の設定（ステップＳ７１）は、高電力モードの実行（ステップＳ７２）前としたが、これに限られない。本実施形態においては、突起形成モードの第２実行情報の設定は、点灯期間が突起形成期間ＰＨ４に移行される（ステップＳ７３）前である範囲において、いつ行われてもよい。
【０２９５】
（第８実施形態）
第８実施形態は、第７実施形態に対して、突起形成モードの第２実行情報が、放電灯９０の劣化情報に基づいて設定される点において異なる。
なお、以下の説明においては、上記実施形態と同様の構成については、適宜同一の符号を付す等により、説明を省略する場合がある。
【０２９６】
図２２は、本実施形態の制御部４０による放電灯駆動部２３０の制御手順の一例を示すフローチャートである。
図２２に示すように、放電灯９０が点灯開始され（ステップＳ８０）、制御部４０は、ランプ点灯開始から所定時間が経過したかどうかを判定する（ステップＳ８１）。所定時間は、ランプ点灯開始からランプ電圧を参照するまでの時間であり、図１８において時刻Ｔａとなる時間である。時刻Ｔａの値は、例えば、予め記憶部４４に記憶されている。
【０２９７】
制御部４０は、ランプ点灯開始から所定時間が経過した場合（ステップＳ８１：ＹＥＳ）、時刻Ｔａにおいて、ランプ電圧（劣化情報）を検出する（ステップＳ８２）。ここで、第１実施形態において述べたように、時刻Ｔａで参照したランプ電圧は、定常点灯期間ＰＨ２におけるランプ電圧とは異なるため、プロジェクターの設計者は、時刻Ｔａでのランプ電圧値から定常点灯期間ＰＨ２でのランプ電圧を求める換算式、もしくは複数の放電灯を実測して得られた電圧推移の統計値に基づく換算テーブルを予め用意し、記憶部４４に格納しておく。換算テーブルとしては、例えば、［表２］や［表５］において示した換算テーブルを採用できる。
【０２９８】
制御部４０は、上記の換算テーブルに基づいて、定常点灯期間ＰＨ２におけるランプ電圧を推定する（ステップＳ８３）。そして、制御部４０は、推定されたランプ電圧に基づいて、突起形成モードの第２実行情報を設定する（ステップＳ８４）。突起形成モードの第２実行情報の設定は、例えば、推定された定常点灯期間ＰＨ２におけるランプ電圧と、突起形成モードの第２実行情報との関係を示すルックアップテーブルを用いて行われる。本実施形態においては、突起形成モードの第２実行情報として、例えば、実行時間ｔｃ１を設定する。本実施形態における具体的なルックアップテーブルの一例を［表１３］に示す。
【０２９９】
【表１３】
2015187966.tif 000015
【０３００】
［表１３］に示すように、推定された定常点灯期間ＰＨ２のランプ電圧が大きくなるほど、突起形成モードの実行時間ｔｃ１が長く設定される。これは、定常点灯期間ＰＨ２のランプ電圧が大きくなるほど、すなわち、放電灯９０の劣化度合いが大きくなるほど、突起５５２ｐが成長しにくくなるためである。
【０３０１】
制御部４０は、第７実施形態と同様にして、高電力モードを実行し（ステップＳ８５）、その後点灯期間を突起形成期間ＰＨ４に移行させる（ステップＳ８６）。制御部４０は、突起形成期間ＰＨ４の実行時間ｔｃ１が経過した後、点灯期間を定常点灯期間ＰＨ２へと移行させる（ステップＳ８７）。
【０３０２】
本実施形態によれば、第７実施形態と同様にして、放電灯９０のちらつきが生じることを抑制できる。
【０３０３】
また、本実施形態によれば、突起形成モードの第２実行情報が放電灯９０の劣化情報に基づいて設定されるため、放電灯９０の劣化状態に応じて、適切に突起形成モードを実行することができる。
【０３０４】
なお、本実施形態においては、以下の構成を採用することもできる。
【０３０５】
上記説明においては、放電灯９０の劣化情報として、放電灯９０のランプ電圧を用いたが、これに限られない。本実施形態においては、放電灯９０の劣化情報として、例えば、放電灯９０の累積点灯時間を用いてもよい。
【０３０６】
また、上記説明においては、放電灯９０の劣化情報を取得するタイミングを時刻Ｔａとしたが、これに限られず、放電灯９０の劣化情報を取得するタイミングは、突起形成期間ＰＨ４の前である範囲において特に限定されない。具体的には、例えば、高電力モードが実行されている第２立上期間ＰＨ１２中であってもよいし、また、例えば、電源がＯＦＦされる直前にランプ電圧を取得し、記憶部４４に記憶させておいてもよい。
【０３０７】
なお、上記説明した第７実施形態および第８実施形態においては、立上期間ＰＨ１において高電力モードが実行されるものとしたが、これに限られない。高電力モードは、例えば、第６実施形態において示したように、定常点灯期間ＰＨ２に実行されてもよい。
【０３０８】
なお、本発明の技術範囲は上記実施形態に限定されるものではなく、本発明の趣旨を逸脱しない範囲において種々の変更を加えることが可能である。
また、上記第１実施形態から第８実施形態は、互いに干渉しない範囲内で、適宜組み合わせることができる。
【符号の説明】
【０３０９】
１０…放電灯点灯装置（放電灯駆動装置）、４０…制御部、４４…記憶部、９０…放電灯、９２…第１電極（電極）、９３…第２電極（電極）、２００…光源装置、２３０…放電灯駆動部、３３０Ｒ，３３０Ｇ，３３０Ｂ…液晶ライトバルブ（光変調素子）、３５０…投射光学系、５００…プロジェクター、５５２ｐ，５６２ｐ…突起、Ｉ…駆動電流、ＰＨ１…立上期間、ＰＨ１１，ＰＨ１３…第１立上期間、ＰＨ１２，ＰＨ１４…第２立上期間、ＰＨ２…定常点灯期間、Ｔ…時間、ｔｃ１，ｔｃ２…実行時間（突起形成駆動の実行時間）、ｔｒ１，ｔｒ２…実行時間（高電力駆動の実行時間）、Ｗ…駆動電力、Ｗｍ…突起形成電力（第３駆動電力）、Ｗｒ…リフレッシュ電力（第２駆動電力）、Ｗｓ…定常点灯電力（第１駆動電力）、Ｗｔ…定格電力
【図１】
2015187966.tif 000016
【図２】
2015187966.tif 000017
【図３】
2015187966.tif 000018
【図４】
2015187966.tif 000019
【図５】
2015187966.tif 000020
【図６】
2015187966.tif 000021
【図７】
2015187966.tif 000022
【図８】
2015187966.tif 000023
【図９】
2015187966.tif 000024
【図１０】
2015187966.tif 000025
【図１１】
2015187966.tif 000026
【図１２】
2015187966.tif 000027
【図１３】
2015187966.tif 000028
【図１４】
2015187966.tif 000029
【図１５】
2015187966.tif 000030
【図１６】
2015187966.tif 000031
【図１７】
2015187966.tif 000032
【図１８】
2015187966.tif 000033
【図１９】
2015187966.tif 000034
【図２０】
2015187966.tif 000035
【図２１】
2015187966.tif 000036
【図２２】
2015187966.tif 000037